(57)【要約】【課題】  従来の視野計では、視標により走査される走査領域の合目的且つ迅速な選択及び決定が不可能である。【解決手段】走査領域選択決定用画面生成手段と、走査領域選択決定用画面第一背景色設定手段と、走査領域選択決定用画面第二背景色設定手段と、走査領域選択決定用画面背景色交互表示制御手段と、走査領域選択決定用画面第一背景色表示時間設定手段と、走査領域選択決定用画面第二背景色表示時間設定手段と、走査領域選択決定用画面固視標表示制御手段と、走査領域選択指示受付手段と、走査領域決定指示受付手段と、走査領域矩形座標記憶手段と、を備えることを特徴とする視野走査領域選択支援装置であるので、視標により走査される走査領域の合目的且つ迅速な選択及び決定を支援することができる。【選択図】図１７
2010063557.tif 000002
【特許請求の範囲】
【請求項１】
視標により走査される走査領域の合目的且つ迅速な選択及び決定を支援する視野走査領域選択支援装置であって、
走査領域を選択及び決定する画面である走査領域選択決定用画面を出力装置に生成する走査領域選択決定用画面生成手段と、
該走査領域選択決定用画面生成手段により生成された走査領域選択決定用画面において、走査領域の選択及び決定が行われる際に、固視標に対して背景となる画面全面により一様に表される第一の、走査領域選択決定用画面背景色として、走査領域選択決定用画面第一背景色を設定する走査領域選択決定用画面第一背景色設定手段と、
前記走査領域選択決定用画面生成手段により生成された走査領域選択決定用画面において、走査領域の選択及び決定が行われる際に、固視標に対して背景となる画面全面が一様に表す第二の、走査領域選択決定用画面背景色として、走査領域選択決定用画面第二背景色を設定する走査領域選択決定用画面第二背景色設定手段と、
前記走査領域選択決定用画面の背景色を、前記走査領域選択決定用画面第一背景色設定手段により設定された走査領域選択決定用画面第一背景色と、前記走査領域選択決定用画面第二背景色設定手段により設定された走査領域選択決定用画面第二背景色の、
２色により交互させ続けながら表示する、走査領域選択決定用画面背景色交互表示制御手段と、
該走査領域選択決定用画面背景色交互表示制御手段が、前記走査領域選択決定用画面において、前記走査領域選択決定用画面第一背景色を表示開始する時点から、背景色を前記走査領域選択決定用画面第二背景色に変えるために、前記走査領域選択決定用画面第一背景色の表示をやめる時点までの時間の長さを設定する走査領域選択決定用画面第一背景色表示時間設定手段と、
前記走査領域選択決定用画面背景色交互表示制御手段が、前記走査領域選択決定用画面において、前記走査領域選択決定用画面第二背景色を表示開始する時点から、背景色を前記走査領域選択決定用画面第一背景色に変えるために、前記走査領域選択決定用画面第二背景色の表示をやめる時点までの時間の長さを設定する走査領域選択決定用画面第二背景色表示時間設定手段と、
走査領域の選択決定がなされる際に凝視される走査領域選択決定用画面における固視標を表示する走査領域選択決定用画面固視標表示制御手段と、
前記走査領域選択決定用画面背景色交互表示制御手段により、
前記走査領域選択決定用画面の背景色を、
前記走査領域選択決定用画面第一背景色と、
前記走査領域選択決定用画面第二背景色、の
２色で交互させ続けて表示しながら、
前記走査領域選択決定用画面において、矩形としての走査領域の選択がなされるが、該選択の際になされる走査領域選択指示を、入力装置を経て受け付ける走査領域選択指示受付手段と、
該走査領域選択指示受付手段により、前記走査領域選択決定用画面において、走査領域の選択がなされた後、該領域を走査領域として決定する指示を、入力装置を経て受け付ける走査領域決定指示受付手段と、
該走査領域決定指示受付手段により受け付けられた走査領域である矩形の左上端の座標及び右下端の座標を、記憶装置に記憶する走査領域矩形座標記憶手段と、
を備えることを特徴とする
視野走査領域選択支援装置。
【請求項２】
請求項１に記載の視野走査領域選択支援装置であって、
前記走査領域選択決定用画面第一背景色設定手段は、走査領域選択決定用画面第一背景色を、常に黒色系統の暗色により設定することを特徴とする視野走査領域選択支援装置。
【請求項３】
請求項１に記載の視野走査領域選択支援装置であって、
前記走査領域選択決定用画面第一背景色設定手段は、走査領域選択決定用画面第一背景色を、常に黒色系統の暗色により設定し、
前記走査領域選択決定用画面第二背景色設定手段は、走査領域選択決定用画面第二背景色を、常に赤橙色系統の色により設定することを特徴とする視野走査領域選択支援装置。
【請求項４】
請求項１に記載の視野走査領域選択支援装置であって、
前記走査領域選択決定用画面第一背景色設定手段は、走査領域選択決定用画面第一背景色を、常に黒色系統の暗色により設定し、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とする視野走査領域選択支援装置。
【請求項５】
請求項１に記載の視野走査領域選択支援装置であって、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とする視野走査領域選択支援装置。
【請求項６】
固視標を表示する位置を選択及び決定する画面である固視標表示位置選択決定用画面を出力装置に生成する固視標表示位置選択決定用画面生成手段と、
該固視標表示位置選択決定用画面生成手段により生成された固視標表示位置選択決定用画面において、固視標表示位置の選択及び決定が行われる際に、固視標に対して背景となる画面全面により一様に表される第一の、固視標表示位置選択決定用画面背景色として、固視標表示位置選択決定用画面第一背景色を設定する固視標表示位置選択決定用画面第一背景色設定手段と、
前記固視標表示位置選択決定用画面生成手段により生成された固視標表示位置選択決定用画面において、固視標表示位置の選択及び決定が行われる際に、固視標に対して背景となる画面全面が一様に表す第二の、固視標表示位置選択決定用画面背景色として、固視標表示位置選択決定用画面第二背景色を設定する固視標表示位置選択決定用画面第二背景色設定手段と、
前記固視標表示位置選択決定用画面の背景色を、前記固視標表示位置選択決定用画面第一背景色設定手段により設定された固視標表示位置選択決定用画面第一背景色と、前記固視標表示位置選択決定用画面第二背景色設定手段により設定された固視標表示位置選択決定用画面第二背景色の、
２色により交互させ続けながら表示する、固視標表示位置選択決定用画面背景色交互表示制御手段と、
該固視標表示位置選択決定用画面背景色交互表示制御手段が、前記固視標表示位置選択決定用画面において、前記固視標表示位置選択決定用画面第一背景色を表示開始する時点から、背景色を前記固視標表示位置選択決定用画面第二背景色に変えるために、前記固視標表示位置選択決定用画面第一背景色の表示をやめる時点までの時間の長さを設定する固視標表示位置選択決定用画面第一背景色表示時間設定手段と、
前記固視標表示位置選択決定用画面背景色交互表示制御手段が、前記固視標表示位置選択決定用画面において、前記固視標表示位置選択決定用画面第二背景色を表示開始する時点から、背景色を前記固視標表示位置選択決定用画面第一背景色に変えるために、前記固視標表示位置選択決定用画面第二背景色の表示をやめる時点までの時間の長さを設定する固視標表示位置選択決定用画面第二背景色表示時間設定手段と、
前記固視標表示位置選択決定用画面に、固視標表示位置の選択決定がなされる際に凝視される固視標を表示する固視標表示位置選択決定用画面固視標表示制御手段と、
該固視標表示位置選択決定用画面固視標表示制御手段により、前記固視標表示位置選択決定用画面に表示される固視標の初期表示位置を設定する固視標表示位置選択決定用画面固視標初期表示位置設定手段と、
前記固視標表示位置選択決定用画面背景色交互表示制御手段により、
前記固視標表示位置選択決定用画面の背景色を、
前記固視標表示位置選択決定用画面第一背景色と、
前記固視標表示位置選択決定用画面第二背景色、の
２色で交互させ続けて表示しながら、
前記固視標表示位置選択決定用画面における固視標表示位置の選択がなされるが、
該選択の際になされる固視標移動の指示を、入力装置を経て受け付ける固視標移動指示受付手段と、
該固視標移動指示受付手段により、前記固視標移動の指示が受け付けられると、該指示に基づいて、固視標に所定の移動を行わせる固視標移動表示制御手段と、
該固視標移動表示制御手段により、前記固視標表示位置選択決定用画面において、固視標表示位置の選択がなされた後、該表示位置を固視標表示位置として決定する指示を、入力装置を経て受け付ける
固視標表示決定位置指示受付手段と、
該固視標表示決定位置指示受付手段により受け付けられた固視標表示決定位置を、記憶装置に記憶する固視標表示決定位置記憶手段と、
を、
さらに、備える請求項１に記載の視野走査領域選択支援装置であって、
前記走査領域選択決定用画面固視標表示制御手段は、
前記固視標表示決定位置記憶手段により記憶された
前記固視標表示決定位置を読み出し、該固視標表示決定位置に相当する前記走査領域選択決定用画面における位置に、
走査領域の選択決定がなされる際に凝視される走査領域選択決定用画面固視標を表示することを特徴とする
視野走査領域選択支援装置。
【請求項７】
請求項６に記載の視野走査領域選択支援装置であって、
前記固視標表示位置選択決定用画面第一背景色設定手段は、固視標表示位置選択決定用画面第一背景色を、常に黒色系統の暗色により設定することを特徴とする視野走査領域選択支援装置。
【請求項８】
請求項６に記載の視野走査領域選択支援装置であって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、
固視標表示位置選択決定用画面第二背景色を、常に赤橙色系統の色により設定することを特徴とする視野走査領域選択支援装置。
【請求項９】
請求項６に記載の視野走査領域選択支援装置であって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とする視野走査領域選択支援装置。
【請求項１０】
請求項６に記載の視野走査領域選択支援装置であって、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とする視野走査領域選択支援装置。
【請求項１１】
コンピュータを、
視標により走査される走査領域の合目的且つ迅速な選択及び決定を支援する視野走査領域選択支援装置であって、
走査領域を選択及び決定する画面である走査領域選択決定用画面を出力装置に生成する走査領域選択決定用画面生成手段と、
該走査領域選択決定用画面生成手段により生成された走査領域選択決定用画面において、走査領域の選択及び決定が行われる際に、固視標に対して背景となる画面全面により一様に表される第一の、走査領域選択決定用画面背景色として、走査領域選択決定用画面第一背景色を設定する走査領域選択決定用画面第一背景色設定手段と、
前記走査領域選択決定用画面生成手段により生成された走査領域選択決定用画面において、走査領域の選択及び決定が行われる際に、固視標に対して背景となる画面全面が一様に表す第二の、走査領域選択決定用画面背景色として、走査領域選択決定用画面第二背景色を設定する走査領域選択決定用画面第二背景色設定手段と、
前記走査領域選択決定用画面の背景色を、前記走査領域選択決定用画面第一背景色設定手段により設定された走査領域選択決定用画面第一背景色と、前記走査領域選択決定用画面第二背景色設定手段により設定された走査領域選択決定用画面第二背景色の、
２色により交互させ続けながら表示する、走査領域選択決定用画面背景色交互表示制御手段と、
該走査領域選択決定用画面背景色交互表示制御手段が、前記走査領域選択決定用画面において、前記走査領域選択決定用画面第一背景色を表示開始する時点から、背景色を前記走査領域選択決定用画面第二背景色に変えるために、前記走査領域選択決定用画面第一背景色の表示をやめる時点までの時間の長さを設定する走査領域選択決定用画面第一背景色表示時間設定手段と、
前記走査領域選択決定用画面背景色交互表示制御手段が、前記走査領域選択決定用画面において、前記走査領域選択決定用画面第二背景色を表示開始する時点から、背景色を前記走査領域選択決定用画面第一背景色に変えるために、前記走査領域選択決定用画面第二背景色の表示をやめる時点までの時間の長さを設定する走査領域選択決定用画面第二背景色表示時間設定手段と、
走査領域の選択決定がなされる際に凝視される走査領域選択決定用画面における固視標を表示する走査領域選択決定用画面固視標表示制御手段と、
前記走査領域選択決定用画面背景色交互表示制御手段により、
前記走査領域選択決定用画面の背景色を、
前記走査領域選択決定用画面第一背景色と、
前記走査領域選択決定用画面第二背景色、の
２色で交互させ続けて表示しながら、
前記走査領域選択決定用画面において、矩形としての走査領域の選択がなされるが、該選択の際になされる走査領域選択指示を、入力装置を経て受け付ける走査領域選択指示受付手段と、
該走査領域選択指示受付手段により、前記走査領域選択決定用画面において、走査領域の選択がなされた後、該領域を走査領域として決定する指示を、入力装置を経て受け付ける走査領域決定指示受付手段と、
該走査領域決定指示受付手段により受け付けられた走査領域である矩形の左上端の座標及び右下端の座標を、記憶装置に記憶する走査領域矩形座標記憶手段、
として機能させることを特徴とするプログラム。
【請求項１２】
請求項１１に記載のプログラムであって、
前記走査領域選択決定用画面第一背景色設定手段は、走査領域選択決定用画面第一背景色を、常に黒色系統の暗色により設定することを特徴とする。
【請求項１３】
請求項１１に記載のプログラムであって、
前記走査領域選択決定用画面第一背景色設定手段は、走査領域選択決定用画面第一背景色を、常に黒色系統の暗色により設定し、
前記走査領域選択決定用画面第二背景色設定手段は、走査領域選択決定用画面第二背景色を、常に赤橙色系統の色により設定することを特徴とする。
【請求項１４】
請求項１１に記載のプログラムであって、
前記走査領域選択決定用画面第一背景色設定手段は、走査領域選択決定用画面第一背景色を、常に黒色系統の暗色により設定し、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とする。
【請求項１５】
請求項１１に記載のプログラムであって、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とする。
【請求項１６】
コンピュータを、
さらに、
固視標を表示する位置を選択及び決定する画面である固視標表示位置選択決定用画面を出力装置に生成する固視標表示位置選択決定用画面生成手段と、
該固視標表示位置選択決定用画面生成手段により生成された固視標表示位置選択決定用画面において、固視標表示位置の選択及び決定が行われる際に、固視標に対して背景となる画面全面により一様に表される第一の、固視標表示位置選択決定用画面背景色として、固視標表示位置選択決定用画面第一背景色を設定する固視標表示位置選択決定用画面第一背景色設定手段と、
前記固視標表示位置選択決定用画面生成手段により生成された固視標表示位置選択決定用画面において、固視標表示位置の選択及び決定が行われる際に、固視標に対して背景となる画面全面が一様に表す第二の、固視標表示位置選択決定用画面背景色として、固視標表示位置選択決定用画面第二背景色を設定する固視標表示位置選択決定用画面第二背景色設定手段と、
前記固視標表示位置選択決定用画面の背景色を、前記固視標表示位置選択決定用画面第一背景色設定手段により設定された固視標表示位置選択決定用画面第一背景色と、前記固視標表示位置選択決定用画面第二背景色設定手段により設定された固視標表示位置選択決定用画面第二背景色の、
２色により交互させ続けながら表示する、固視標表示位置選択決定用画面背景色交互表示制御手段と、
該固視標表示位置選択決定用画面背景色交互表示制御手段が、前記固視標表示位置選択決定用画面において、前記固視標表示位置選択決定用画面第一背景色を表示開始する時点から、背景色を前記固視標表示位置選択決定用画面第二背景色に変えるために、前記固視標表示位置選択決定用画面第一背景色の表示をやめる時点までの時間の長さを設定する固視標表示位置選択決定用画面第一背景色表示時間設定手段と、
前記固視標表示位置選択決定用画面背景色交互表示制御手段が、前記固視標表示位置選択決定用画面において、前記固視標表示位置選択決定用画面第二背景色を表示開始する時点から、背景色を前記固視標表示位置選択決定用画面第一背景色に変えるために、前記固視標表示位置選択決定用画面第二背景色の表示をやめる時点までの時間の長さを設定する固視標表示位置選択決定用画面第二背景色表示時間設定手段と、
前記固視標表示位置選択決定用画面に、固視標表示位置の選択決定がなされる際に凝視される固視標を表示する固視標表示位置選択決定用画面固視標表示制御手段と、
該固視標表示位置選択決定用画面固視標表示制御手段により、前記固視標表示位置選択決定用画面に表示される固視標の初期表示位置を設定する固視標表示位置選択決定用画面固視標初期表示位置設定手段と、
前記固視標表示位置選択決定用画面背景色交互表示制御手段により、
前記固視標表示位置選択決定用画面の背景色を、
前記固視標表示位置選択決定用画面第一背景色と、
前記固視標表示位置選択決定用画面第二背景色、の
２色で交互させ続けて表示しながら、
前記固視標表示位置選択決定用画面における固視標表示位置の選択がなされるが、
該選択の際になされる固視標移動の指示を、入力装置を経て受け付ける固視標移動指示受付手段と、
該固視標移動指示受付手段により、前記固視標移動の指示が受け付けられると、該指示に基づいて、固視標に所定の移動を行わせる固視標移動表示制御手段と、
該固視標移動表示制御手段により、前記固視標表示位置選択決定用画面において、固視標表示位置の選択がなされた後、該表示位置を固視標表示位置として決定する指示を、入力装置を経て受け付ける
固視標表示決定位置指示受付手段と、
該固視標表示決定位置指示受付手段により受け付けられた固視標表示決定位置を、記憶装置に記憶する固視標表示決定位置記憶手段、
として、
機能させる請求項１１に記載のプログラムであって、
前記走査領域選択決定用画面固視標表示制御手段は、
前記固視標表示決定位置記憶手段により記憶された
前記固視標表示決定位置を読み出し、該固視標表示決定位置に相当する前記走査領域選択決定用画面における位置に、
走査領域の選択決定がなされる際に凝視される走査領域選択決定用画面固視標を表示することを特徴とする。
【請求項１７】
請求項１６に記載のプログラムであって、
前記固視標表示位置選択決定用画面第一背景色設定手段は、固視標表示位置選択決定用画面第一背景色を、常に黒色系統の暗色により設定することを特徴とする。
【請求項１８】
請求項１６に記載のプログラムであって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、
固視標表示位置選択決定用画面第二背景色を、常に赤橙色系統の色により設定することを特徴とする。
【請求項１９】
請求項１６に記載のプログラムであって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とする。
【請求項２０】
請求項１６に記載のプログラムであって、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とする。
【請求項２１】
請求項１１〜請求項２０のいずれか一項に記載のプログラムを記録したことを特徴とするコンピュータ読み取り可能な記憶媒体。
【発明の詳細な説明】
【技術分野】
【０００１】
本発明は、視野走査領域選択支援装置、視野走査領域選択支援装置作動方法、視野走査領域選択支援装置を実現させるプログラム、及びコンピュータに読み取り可能な記憶媒体に関する。
【背景技術】
【０００２】
従来の視野計には次のような物がある。
Goldmann perimeter、５１０型（１９４５年）、９４０型（１９６７年）、Tubinger perimeter（１９５７年）、Octopus perimeter（１９７６年）。（例えば、非特許文献１参照。）。
【０００３】
従来の視野計を説明する。Goldmann perimeterは最初の明度視野計、手動同時記録式であり、視標輝度は4から60種、視標視角は6種、視角視野、背景輝度の調整が可能。欠点は5°以内の中心部測定が不可能であること。Tubinger perimeter（１９５７年）は最初の実用的静視野計である。動的視野、色視野、フリッカー視野など測定できる。手動同時記録式。視標輝度80種、固視標輝度100種、色5種、背景輝度6種。中心視力、中心外視力測定。欠点は視標移動の操作が難しいこと、視標、固視標、背景照明灯の調整が難しいこと。Octopus perimeter（１９７６年）は世界最初の全自動静視野計。
【０００４】
【非特許文献１】最新医学大辞典（１９８７、１９９０年）、医歯薬出版株式会社。
【発明の開示】
【発明が解決しようとする課題】
【０００５】
従来の視野計では、視標により走査される走査領域の合目的且つ迅速な選択及び決定が不可能である。
【０００６】
そこで、本発明の目的は、視標により走査される走査領域の合目的且つ迅速な選択及び決定を支援する視野走査領域選択支援装置を提供することにある。
【課題を解決するための手段】
【０００７】
上記の目的を達成するために、
請求項１に記載の発明は、
視標により走査される走査領域の合目的且つ迅速な選択及び決定を支援する視野走査領域選択支援装置であって、
走査領域を選択及び決定する画面である走査領域選択決定用画面を出力装置に生成する走査領域選択決定用画面生成手段と、
該走査領域選択決定用画面生成手段により生成された走査領域選択決定用画面において、走査領域の選択及び決定が行われる際に、固視標に対して背景となる画面全面により一様に表される第一の、走査領域選択決定用画面背景色として、走査領域選択決定用画面第一背景色を設定する走査領域選択決定用画面第一背景色設定手段と、
前記走査領域選択決定用画面生成手段により生成された走査領域選択決定用画面において、走査領域の選択及び決定が行われる際に、固視標に対して背景となる画面全面が一様に表す第二の、走査領域選択決定用画面背景色として、走査領域選択決定用画面第二背景色を設定する走査領域選択決定用画面第二背景色設定手段と、
前記走査領域選択決定用画面の背景色を、前記走査領域選択決定用画面第一背景色設定手段により設定された走査領域選択決定用画面第一背景色と、前記走査領域選択決定用画面第二背景色設定手段により設定された走査領域選択決定用画面第二背景色の、
２色により交互させ続けながら表示する、走査領域選択決定用画面背景色交互表示制御手段と、
該走査領域選択決定用画面背景色交互表示制御手段が、前記走査領域選択決定用画面において、前記走査領域選択決定用画面第一背景色を表示開始する時点から、背景色を前記走査領域選択決定用画面第二背景色に変えるために、前記走査領域選択決定用画面第一背景色の表示をやめる時点までの時間の長さを設定する走査領域選択決定用画面第一背景色表示時間設定手段と、
前記走査領域選択決定用画面背景色交互表示制御手段が、前記走査領域選択決定用画面において、前記走査領域選択決定用画面第二背景色を表示開始する時点から、背景色を前記走査領域選択決定用画面第一背景色に変えるために、前記走査領域選択決定用画面第二背景色の表示をやめる時点までの時間の長さを設定する走査領域選択決定用画面第二背景色表示時間設定手段と、
走査領域の選択決定がなされる際に凝視される走査領域選択決定用画面における固視標を表示する走査領域選択決定用画面固視標表示制御手段と、
前記走査領域選択決定用画面背景色交互表示制御手段により、
前記走査領域選択決定用画面の背景色を、
前記走査領域選択決定用画面第一背景色と、
前記走査領域選択決定用画面第二背景色、の
２色で交互させ続けて表示しながら、
前記走査領域選択決定用画面において、矩形としての走査領域の選択がなされるが、該選択の際になされる走査領域選択指示を、入力装置を経て受け付ける走査領域選択指示受付手段と、
該走査領域選択指示受付手段により、前記走査領域選択決定用画面において、走査領域の選択がなされた後、該領域を走査領域として決定する指示を、入力装置を経て受け付ける走査領域決定指示受付手段と、
該走査領域決定指示受付手段により受け付けられた走査領域である矩形の左上端の座標及び右下端の座標を、記憶装置に記憶する走査領域矩形座標記憶手段と、
を備えることを特徴とする
視野走査領域選択支援装置。
【０００８】
請求項２に記載の発明は、
請求項１に記載の視野走査領域選択支援装置であって、
前記走査領域選択決定用画面第一背景色設定手段は、走査領域選択決定用画面第一背景色を、常に黒色系統の暗色により設定することを特徴とする視野走査領域選択支援装置。
【０００９】
請求項３に記載の発明は、
請求項１に記載の視野走査領域選択支援装置であって、
前記走査領域選択決定用画面第一背景色設定手段は、走査領域選択決定用画面第一背景色を、常に黒色系統の暗色により設定し、
前記走査領域選択決定用画面第二背景色設定手段は、走査領域選択決定用画面第二背景色を、常に赤橙色系統の色により設定することを特徴とする視野走査領域選択支援装置。
【００１０】
請求項４に記載の発明は、
請求項１に記載の視野走査領域選択支援装置であって、
前記走査領域選択決定用画面第一背景色設定手段は、走査領域選択決定用画面第一背景色を、常に黒色系統の暗色により設定し、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とする視野走査領域選択支援装置。
【００１１】
請求項５に記載の発明は、
請求項１に記載の視野走査領域選択支援装置であって、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とする視野走査領域選択支援装置。
【００１２】
請求項６に記載の発明は、
固視標を表示する位置を選択及び決定する画面である固視標表示位置選択決定用画面を出力装置に生成する固視標表示位置選択決定用画面生成手段と、
該固視標表示位置選択決定用画面生成手段により生成された固視標表示位置選択決定用画面において、固視標表示位置の選択及び決定が行われる際に、固視標に対して背景となる画面全面により一様に表される第一の、固視標表示位置選択決定用画面背景色として、固視標表示位置選択決定用画面第一背景色を設定する固視標表示位置選択決定用画面第一背景色設定手段と、
前記固視標表示位置選択決定用画面生成手段により生成された固視標表示位置選択決定用画面において、固視標表示位置の選択及び決定が行われる際に、固視標に対して背景となる画面全面が一様に表す第二の、固視標表示位置選択決定用画面背景色として、固視標表示位置選択決定用画面第二背景色を設定する固視標表示位置選択決定用画面第二背景色設定手段と、
前記固視標表示位置選択決定用画面の背景色を、前記固視標表示位置選択決定用画面第一背景色設定手段により設定された固視標表示位置選択決定用画面第一背景色と、前記固視標表示位置選択決定用画面第二背景色設定手段により設定された固視標表示位置選択決定用画面第二背景色の、
２色により交互させ続けながら表示する、固視標表示位置選択決定用画面背景色交互表示制御手段と、
該固視標表示位置選択決定用画面背景色交互表示制御手段が、前記固視標表示位置選択決定用画面において、前記固視標表示位置選択決定用画面第一背景色を表示開始する時点から、背景色を前記固視標表示位置選択決定用画面第二背景色に変えるために、前記固視標表示位置選択決定用画面第一背景色の表示をやめる時点までの時間の長さを設定する固視標表示位置選択決定用画面第一背景色表示時間設定手段と、
前記固視標表示位置選択決定用画面背景色交互表示制御手段が、前記固視標表示位置選択決定用画面において、前記固視標表示位置選択決定用画面第二背景色を表示開始する時点から、背景色を前記固視標表示位置選択決定用画面第一背景色に変えるために、前記固視標表示位置選択決定用画面第二背景色の表示をやめる時点までの時間の長さを設定する固視標表示位置選択決定用画面第二背景色表示時間設定手段と、
前記固視標表示位置選択決定用画面に、固視標表示位置の選択決定がなされる際に凝視される固視標を表示する固視標表示位置選択決定用画面固視標表示制御手段と、
該固視標表示位置選択決定用画面固視標表示制御手段により、前記固視標表示位置選択決定用画面に表示される固視標の初期表示位置を設定する固視標表示位置選択決定用画面固視標初期表示位置設定手段と、
前記固視標表示位置選択決定用画面背景色交互表示制御手段により、
前記固視標表示位置選択決定用画面の背景色を、
前記固視標表示位置選択決定用画面第一背景色と、
前記固視標表示位置選択決定用画面第二背景色、の
２色で交互させ続けて表示しながら、
前記固視標表示位置選択決定用画面における固視標表示位置の選択がなされるが、
該選択の際になされる固視標移動の指示を、入力装置を経て受け付ける固視標移動指示受付手段と、
該固視標移動指示受付手段により、前記固視標移動の指示が受け付けられると、該指示に基づいて、固視標に所定の移動を行わせる固視標移動表示制御手段と、
該固視標移動表示制御手段により、前記固視標表示位置選択決定用画面において、固視標表示位置の選択がなされた後、該表示位置を固視標表示位置として決定する指示を、入力装置を経て受け付ける
固視標表示決定位置指示受付手段と、
該固視標表示決定位置指示受付手段により受け付けられた固視標表示決定位置を、記憶装置に記憶する固視標表示決定位置記憶手段と、
を、
さらに、備える請求項１に記載の視野走査領域選択支援装置であって、
前記走査領域選択決定用画面固視標表示制御手段は、
前記固視標表示決定位置記憶手段により記憶された
前記固視標表示決定位置を読み出し、該固視標表示決定位置に相当する前記走査領域選択決定用画面における位置に、
走査領域の選択決定がなされる際に凝視される走査領域選択決定用画面固視標を表示することを特徴とする
視野走査領域選択支援装置。
【００１３】
請求項７に記載の発明は、
請求項６に記載の視野走査領域選択支援装置であって、
前記固視標表示位置選択決定用画面第一背景色設定手段は、固視標表示位置選択決定用画面第一背景色を、常に黒色系統の暗色により設定することを特徴とする視野走査領域選択支援装置。
【００１４】
請求項８に記載の発明は、
請求項６に記載の視野走査領域選択支援装置であって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、
固視標表示位置選択決定用画面第二背景色を、常に赤橙色系統の色により設定することを特徴とする視野走査領域選択支援装置。
【００１５】
請求項９に記載の発明は、
請求項６に記載の視野走査領域選択支援装置であって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とする視野走査領域選択支援装置。
【００１６】
請求項１０に記載の発明は、
請求項６に記載の視野走査領域選択支援装置であって、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とする視野走査領域選択支援装置。
【００１７】
請求項１１に記載の発明は、
コンピュータを、
視標により走査される走査領域の合目的且つ迅速な選択及び決定を支援する視野走査領域選択支援装置であって、
走査領域を選択及び決定する画面である走査領域選択決定用画面を出力装置に生成する走査領域選択決定用画面生成手段と、
該走査領域選択決定用画面生成手段により生成された走査領域選択決定用画面において、走査領域の選択及び決定が行われる際に、固視標に対して背景となる画面全面により一様に表される第一の、走査領域選択決定用画面背景色として、走査領域選択決定用画面第一背景色を設定する走査領域選択決定用画面第一背景色設定手段と、
前記走査領域選択決定用画面生成手段により生成された走査領域選択決定用画面において、走査領域の選択及び決定が行われる際に、固視標に対して背景となる画面全面が一様に表す第二の、走査領域選択決定用画面背景色として、走査領域選択決定用画面第二背景色を設定する走査領域選択決定用画面第二背景色設定手段と、
前記走査領域選択決定用画面の背景色を、前記走査領域選択決定用画面第一背景色設定手段により設定された走査領域選択決定用画面第一背景色と、前記走査領域選択決定用画面第二背景色設定手段により設定された走査領域選択決定用画面第二背景色の、
２色により交互させ続けながら表示する、走査領域選択決定用画面背景色交互表示制御手段と、
該走査領域選択決定用画面背景色交互表示制御手段が、前記走査領域選択決定用画面において、前記走査領域選択決定用画面第一背景色を表示開始する時点から、背景色を前記走査領域選択決定用画面第二背景色に変えるために、前記走査領域選択決定用画面第一背景色の表示をやめる時点までの時間の長さを設定する走査領域選択決定用画面第一背景色表示時間設定手段と、
前記走査領域選択決定用画面背景色交互表示制御手段が、前記走査領域選択決定用画面において、前記走査領域選択決定用画面第二背景色を表示開始する時点から、背景色を前記走査領域選択決定用画面第一背景色に変えるために、前記走査領域選択決定用画面第二背景色の表示をやめる時点までの時間の長さを設定する走査領域選択決定用画面第二背景色表示時間設定手段と、
走査領域の選択決定がなされる際に凝視される走査領域選択決定用画面における固視標を表示する走査領域選択決定用画面固視標表示制御手段と、
前記走査領域選択決定用画面背景色交互表示制御手段により、
前記走査領域選択決定用画面の背景色を、
前記走査領域選択決定用画面第一背景色と、
前記走査領域選択決定用画面第二背景色、の
２色で交互させ続けて表示しながら、
前記走査領域選択決定用画面において、矩形としての走査領域の選択がなされるが、該選択の際になされる走査領域選択指示を、入力装置を経て受け付ける走査領域選択指示受付手段と、
該走査領域選択指示受付手段により、前記走査領域選択決定用画面において、走査領域の選択がなされた後、該領域を走査領域として決定する指示を、入力装置を経て受け付ける走査領域決定指示受付手段と、
該走査領域決定指示受付手段により受け付けられた走査領域である矩形の左上端の座標及び右下端の座標を、記憶装置に記憶する走査領域矩形座標記憶手段、
として機能させることを特徴とするプログラム。
【００１８】
請求項１２に記載の発明は、
請求項１１に記載のプログラムであって、
前記走査領域選択決定用画面第一背景色設定手段は、走査領域選択決定用画面第一背景色を、常に黒色系統の暗色により設定することを特徴とする。
【００１９】
請求項１３に記載の発明は、
請求項１１に記載のプログラムであって、
前記走査領域選択決定用画面第一背景色設定手段は、走査領域選択決定用画面第一背景色を、常に黒色系統の暗色により設定し、
前記走査領域選択決定用画面第二背景色設定手段は、走査領域選択決定用画面第二背景色を、常に赤橙色系統の色により設定することを特徴とする。
【００２０】
請求項１４に記載の発明は、
請求項１１に記載のプログラムであって、
前記走査領域選択決定用画面第一背景色設定手段は、走査領域選択決定用画面第一背景色を、常に黒色系統の暗色により設定し、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とする。
【００２１】
請求項１５に記載の発明は、
請求項１１に記載のプログラムであって、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とする。
【００２２】
請求項１６に記載の発明は、
コンピュータを、
さらに、
固視標を表示する位置を選択及び決定する画面である固視標表示位置選択決定用画面を出力装置に生成する固視標表示位置選択決定用画面生成手段と、
該固視標表示位置選択決定用画面生成手段により生成された固視標表示位置選択決定用画面において、固視標表示位置の選択及び決定が行われる際に、固視標に対して背景となる画面全面により一様に表される第一の、固視標表示位置選択決定用画面背景色として、固視標表示位置選択決定用画面第一背景色を設定する固視標表示位置選択決定用画面第一背景色設定手段と、
前記固視標表示位置選択決定用画面生成手段により生成された固視標表示位置選択決定用画面において、固視標表示位置の選択及び決定が行われる際に、固視標に対して背景となる画面全面が一様に表す第二の、固視標表示位置選択決定用画面背景色として、固視標表示位置選択決定用画面第二背景色を設定する固視標表示位置選択決定用画面第二背景色設定手段と、
前記固視標表示位置選択決定用画面の背景色を、前記固視標表示位置選択決定用画面第一背景色設定手段により設定された固視標表示位置選択決定用画面第一背景色と、前記固視標表示位置選択決定用画面第二背景色設定手段により設定された固視標表示位置選択決定用画面第二背景色の、
２色により交互させ続けながら表示する、固視標表示位置選択決定用画面背景色交互表示制御手段と、
該固視標表示位置選択決定用画面背景色交互表示制御手段が、前記固視標表示位置選択決定用画面において、前記固視標表示位置選択決定用画面第一背景色を表示開始する時点から、背景色を前記固視標表示位置選択決定用画面第二背景色に変えるために、前記固視標表示位置選択決定用画面第一背景色の表示をやめる時点までの時間の長さを設定する固視標表示位置選択決定用画面第一背景色表示時間設定手段と、
前記固視標表示位置選択決定用画面背景色交互表示制御手段が、前記固視標表示位置選択決定用画面において、前記固視標表示位置選択決定用画面第二背景色を表示開始する時点から、背景色を前記固視標表示位置選択決定用画面第一背景色に変えるために、前記固視標表示位置選択決定用画面第二背景色の表示をやめる時点までの時間の長さを設定する固視標表示位置選択決定用画面第二背景色表示時間設定手段と、
前記固視標表示位置選択決定用画面に、固視標表示位置の選択決定がなされる際に凝視される固視標を表示する固視標表示位置選択決定用画面固視標表示制御手段と、
該固視標表示位置選択決定用画面固視標表示制御手段により、前記固視標表示位置選択決定用画面に表示される固視標の初期表示位置を設定する固視標表示位置選択決定用画面固視標初期表示位置設定手段と、
前記固視標表示位置選択決定用画面背景色交互表示制御手段により、
前記固視標表示位置選択決定用画面の背景色を、
前記固視標表示位置選択決定用画面第一背景色と、
前記固視標表示位置選択決定用画面第二背景色、の
２色で交互させ続けて表示しながら、
前記固視標表示位置選択決定用画面における固視標表示位置の選択がなされるが、
該選択の際になされる固視標移動の指示を、入力装置を経て受け付ける固視標移動指示受付手段と、
該固視標移動指示受付手段により、前記固視標移動の指示が受け付けられると、該指示に基づいて、固視標に所定の移動を行わせる固視標移動表示制御手段と、
該固視標移動表示制御手段により、前記固視標表示位置選択決定用画面において、固視標表示位置の選択がなされた後、該表示位置を固視標表示位置として決定する指示を、入力装置を経て受け付ける
固視標表示決定位置指示受付手段と、
該固視標表示決定位置指示受付手段により受け付けられた固視標表示決定位置を、記憶装置に記憶する固視標表示決定位置記憶手段、
として、
機能させる請求項１１に記載のプログラムであって、
前記走査領域選択決定用画面固視標表示制御手段は、
前記固視標表示決定位置記憶手段により記憶された
前記固視標表示決定位置を読み出し、該固視標表示決定位置に相当する前記走査領域選択決定用画面における位置に、
走査領域の選択決定がなされる際に凝視される走査領域選択決定用画面固視標を表示することを特徴とする。
【００２３】
請求項１７に記載の発明は、
請求項１６に記載のプログラムであって、
前記固視標表示位置選択決定用画面第一背景色設定手段は、固視標表示位置選択決定用画面第一背景色を、常に黒色系統の暗色により設定することを特徴とする。
【００２４】
請求項１８に記載の発明は、
請求項１６に記載のプログラムであって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、
固視標表示位置選択決定用画面第二背景色を、常に赤橙色系統の色により設定することを特徴とする。
【００２５】
請求項１９に記載の発明は、
請求項１６に記載のプログラムであって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とする。
【００２６】
請求項２０に記載の発明は、
請求項１６に記載のプログラムであって、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とする。
【００２７】
請求項２１に記載の発明は、
請求項１１〜請求項２０のいずれか一項に記載のプログラムを記録したことを特徴とするコンピュータ読み取り可能な記憶媒体。
【発明の効果】
【００２８】
第一の発明である視野走査領域選択支援装置によれば、
視標により走査される走査領域の合目的且つ迅速な選択及び決定を支援する視野走査領域選択支援装置であって、
走査領域を選択及び決定する画面である走査領域選択決定用画面を出力装置に生成する走査領域選択決定用画面生成手段と、
該走査領域選択決定用画面生成手段により生成された走査領域選択決定用画面において、走査領域の選択及び決定が行われる際に、固視標に対して背景となる画面全面により一様に表される第一の、走査領域選択決定用画面背景色として、走査領域選択決定用画面第一背景色を設定する走査領域選択決定用画面第一背景色設定手段と、
前記走査領域選択決定用画面生成手段により生成された走査領域選択決定用画面において、走査領域の選択及び決定が行われる際に、固視標に対して背景となる画面全面が一様に表す第二の、走査領域選択決定用画面背景色として、走査領域選択決定用画面第二背景色を設定する走査領域選択決定用画面第二背景色設定手段と、
前記走査領域選択決定用画面の背景色を、前記走査領域選択決定用画面第一背景色設定手段により設定された走査領域選択決定用画面第一背景色と、前記走査領域選択決定用画面第二背景色設定手段により設定された走査領域選択決定用画面第二背景色の、
２色により交互させ続けながら表示する、走査領域選択決定用画面背景色交互表示制御手段と、
該走査領域選択決定用画面背景色交互表示制御手段が、前記走査領域選択決定用画面において、前記走査領域選択決定用画面第一背景色を表示開始する時点から、背景色を前記走査領域選択決定用画面第二背景色に変えるために、前記走査領域選択決定用画面第一背景色の表示をやめる時点までの時間の長さを設定する走査領域選択決定用画面第一背景色表示時間設定手段と、
前記走査領域選択決定用画面背景色交互表示制御手段が、前記走査領域選択決定用画面において、前記走査領域選択決定用画面第二背景色を表示開始する時点から、背景色を前記走査領域選択決定用画面第一背景色に変えるために、前記走査領域選択決定用画面第二背景色の表示をやめる時点までの時間の長さを設定する走査領域選択決定用画面第二背景色表示時間設定手段と、
走査領域の選択決定がなされる際に凝視される走査領域選択決定用画面における固視標を表示する走査領域選択決定用画面固視標表示制御手段と、
前記走査領域選択決定用画面背景色交互表示制御手段により、
前記走査領域選択決定用画面の背景色を、
前記走査領域選択決定用画面第一背景色と、
前記走査領域選択決定用画面第二背景色、の
２色で交互させ続けて表示しながら、
前記走査領域選択決定用画面において、矩形としての走査領域の選択がなされるが、該選択の際になされる走査領域選択指示を、入力装置を経て受け付ける走査領域選択指示受付手段と、
該走査領域選択指示受付手段により、前記走査領域選択決定用画面において、走査領域の選択がなされた後、該領域を走査領域として決定する指示を、入力装置を経て受け付ける走査領域決定指示受付手段と、
該走査領域決定指示受付手段により受け付けられた走査領域である矩形の左上端の座標及び右下端の座標を、記憶装置に記憶する走査領域矩形座標記憶手段と、
を、
備えるので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、走査領域の選択の指示が、合目的且つ迅速になされることを支援することができ、
本発明、視野走査領域選択支援装置は、視覚不可能領域及び視覚機能低下領域４を、被験者視野に認識可能にしながら、走査領域決定の指示が、合目的且つ迅速になされることを支援することができ、
本発明、視野走査領域選択支援装置は、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
（本発明、視野走査領域選択支援装置は、５°以内の視野中心部に対しても、走査領域の選択決定を支援することができる。）
【００２９】
第二の発明である視野走査領域選択支援装置によれば、
請求項１に記載の視野走査領域選択支援装置であって、
前記走査領域選択決定用画面第一背景色設定手段は、走査領域選択決定用画面第一背景色を、常に黒色系統の暗色により設定することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、走査領域の選択の指示が、合目的且つ迅速になされることを支援することができ、
本発明、視野走査領域選択支援装置は、視覚不可能領域及び視覚機能低下領域４を、被験者視野に認識可能にしながら、走査領域決定の指示が、合目的且つ迅速になされることを支援することができ、
本発明、視野走査領域選択支援装置は、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３０】
第三の発明である視野走査領域選択支援装置によれば、
請求項１に記載の視野走査領域選択支援装置であって、
前記走査領域選択決定用画面第一背景色設定手段は、走査領域選択決定用画面第一背景色を、常に黒色系統の暗色により設定し、
前記走査領域選択決定用画面第二背景色設定手段は、走査領域選択決定用画面第二背景色を、常に赤橙色系統の色により設定することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、走査領域の選択の指示が、合目的且つ迅速になされることを支援することができ、
本発明、視野走査領域選択支援装置は、視覚不可能領域及び視覚機能低下領域４を、被験者視野に認識可能にしながら、走査領域決定の指示が、合目的且つ迅速になされることを支援することができ、
本発明、視野走査領域選択支援装置は、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３１】
第四の発明である視野走査領域選択支援装置によれば、
請求項１に記載の視野走査領域選択支援装置であって、
前記走査領域選択決定用画面第一背景色設定手段は、走査領域選択決定用画面第一背景色を、常に黒色系統の暗色により設定し、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、走査領域の選択の指示が、合目的且つ迅速になされることを支援することができ、
本発明、視野走査領域選択支援装置は、視覚不可能領域及び視覚機能低下領域４を、被験者視野に認識可能にしながら、走査領域決定の指示が、合目的且つ迅速になされることを支援することができ、
本発明、視野走査領域選択支援装置は、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３２】
第五の発明である視野走査領域選択支援装置によれば、
請求項１に記載の視野走査領域選択支援装置であって、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、走査領域の選択の指示が、合目的且つ迅速になされることを支援することができ、
本発明、視野走査領域選択支援装置は、視覚不可能領域及び視覚機能低下領域４を、被験者視野に認識可能にしながら、走査領域決定の指示が、合目的且つ迅速になされることを支援することができ、
本発明、視野走査領域選択支援装置は、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３３】
第六の発明である視野走査領域選択支援装置によれば、
固視標を表示する位置を選択及び決定する画面である固視標表示位置選択決定用画面を出力装置に生成する固視標表示位置選択決定用画面生成手段と、
該固視標表示位置選択決定用画面生成手段により生成された固視標表示位置選択決定用画面において、固視標表示位置の選択及び決定が行われる際に、固視標に対して背景となる画面全面により一様に表される第一の、固視標表示位置選択決定用画面背景色として、固視標表示位置選択決定用画面第一背景色を設定する固視標表示位置選択決定用画面第一背景色設定手段と、
前記固視標表示位置選択決定用画面生成手段により生成された固視標表示位置選択決定用画面において、固視標表示位置の選択及び決定が行われる際に、固視標に対して背景となる画面全面が一様に表す第二の、固視標表示位置選択決定用画面背景色として、固視標表示位置選択決定用画面第二背景色を設定する固視標表示位置選択決定用画面第二背景色設定手段と、
前記固視標表示位置選択決定用画面の背景色を、前記固視標表示位置選択決定用画面第一背景色設定手段により設定された固視標表示位置選択決定用画面第一背景色と、前記固視標表示位置選択決定用画面第二背景色設定手段により設定された固視標表示位置選択決定用画面第二背景色の、
２色により交互させ続けながら表示する、固視標表示位置選択決定用画面背景色交互表示制御手段と、
該固視標表示位置選択決定用画面背景色交互表示制御手段が、前記固視標表示位置選択決定用画面において、前記固視標表示位置選択決定用画面第一背景色を表示開始する時点から、背景色を前記固視標表示位置選択決定用画面第二背景色に変えるために、前記固視標表示位置選択決定用画面第一背景色の表示をやめる時点までの時間の長さを設定する固視標表示位置選択決定用画面第一背景色表示時間設定手段と、
前記固視標表示位置選択決定用画面背景色交互表示制御手段が、前記固視標表示位置選択決定用画面において、前記固視標表示位置選択決定用画面第二背景色を表示開始する時点から、背景色を前記固視標表示位置選択決定用画面第一背景色に変えるために、前記固視標表示位置選択決定用画面第二背景色の表示をやめる時点までの時間の長さを設定する固視標表示位置選択決定用画面第二背景色表示時間設定手段と、
前記固視標表示位置選択決定用画面に、固視標表示位置の選択決定がなされる際に凝視される固視標を表示する固視標表示位置選択決定用画面固視標表示制御手段と、
該固視標表示位置選択決定用画面固視標表示制御手段により、前記固視標表示位置選択決定用画面に表示される固視標の初期表示位置を設定する固視標表示位置選択決定用画面固視標初期表示位置設定手段と、
前記固視標表示位置選択決定用画面背景色交互表示制御手段により、
前記固視標表示位置選択決定用画面の背景色を、
前記固視標表示位置選択決定用画面第一背景色と、
前記固視標表示位置選択決定用画面第二背景色、の
２色で交互させ続けて表示しながら、
前記固視標表示位置選択決定用画面における固視標表示位置の選択がなされるが、
該選択の際になされる固視標移動の指示を、入力装置を経て受け付ける固視標移動指示受付手段と、
該固視標移動指示受付手段により、前記固視標移動の指示が受け付けられると、該指示に基づいて、固視標に所定の移動を行わせる固視標移動表示制御手段と、
該固視標移動表示制御手段により、前記固視標表示位置選択決定用画面において、固視標表示位置の選択がなされた後、該表示位置を固視標表示位置として決定する指示を、入力装置を経て受け付ける
固視標表示決定位置指示受付手段と、
該固視標表示決定位置指示受付手段により受け付けられた固視標表示決定位置を、記憶装置に記憶する固視標表示決定位置記憶手段と、
を、
さらに、備える請求項１に記載の視野走査領域選択支援装置であって、
前記走査領域選択決定用画面固視標表示制御手段は、
前記固視標表示決定位置記憶手段により記憶された
前記固視標表示決定位置を読み出し、該固視標表示決定位置に相当する前記走査領域選択決定用画面における位置に、
走査領域の選択決定がなされる際に凝視される走査領域選択決定用画面固視標を表示することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、固視標移動の指示が、合目的且つ迅速になされることを支援することができ、
本発明、視野走査領域選択支援装置は、視覚不可能領域及び視覚機能低下領域４を、被験者視野に認識可能にしながら、固視標表示位置の決定の指示が、合目的且つ迅速になされることを支援することができ、
本発明、視野走査領域選択支援装置は、決定された固視標表示位置を記憶装置に記憶することができ、
本発明、視野走査領域選択支援装置が、走査領域の合目的且つ迅速な選択及び決定を支援する際には、該固視標表示位置は読み出され固視標を表示する位置を表すものとして利用されることができ、
本発明、視野走査領域選択支援装置による、走査領域の合目的且つ迅速な選択及び決定の支援の際には、
本発明、視野走査領域選択支援装置は、該固視標表示位置に固視標を表示しながら、視覚不可能領域及び視覚機能低下領域４を、被験者が、視野に認識することを支援することができ、
本発明、視野走査領域選択支援装置は、該固視標表示位置に固視標を表示しつつ、視覚不可能領域及び視覚機能低下領域４を、被験者視野に認識可能にしながら、走査領域の選択の指示が、合目的且つ迅速になされることを支援することができ、
本発明、視野走査領域選択支援装置は、該固視標表示位置に固視標を表示しつつ、視覚不可能領域及び視覚機能低下領域４を、被験者視野に認識可能にしながら、走査領域決定の指示が、合目的且つ迅速になされることを支援することができ、
本発明、視野走査領域選択支援装置は、該固視標表示位置に固視標を表示しつつ、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３４】
第七の発明である視野走査領域選択支援装置によれば、
請求項６に記載の視野走査領域選択支援装置であって、
前記固視標表示位置選択決定用画面第一背景色設定手段は、固視標表示位置選択決定用画面第一背景色を、常に黒色系統の暗色により設定することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、固視標移動の指示が、合目的且つ迅速になされることを支援することができ、
本発明、視野走査領域選択支援装置は、視覚不可能領域及び視覚機能低下領域４を、被験者視野に認識可能にしながら、固視標表示位置の決定の指示が、合目的且つ迅速になされることを支援することができ、
本発明、視野走査領域選択支援装置は、決定された固視標表示位置を記憶装置に記憶することができ、
本発明、視野走査領域選択支援装置が、走査領域の合目的且つ迅速な選択及び決定を支援する際には、該固視標表示位置は読み出され固視標を表示する位置を表すものとして利用されることができ、
本発明、視野走査領域選択支援装置による、走査領域の合目的且つ迅速な選択及び決定の支援の際には、
本発明、視野走査領域選択支援装置は、該固視標表示位置に固視標を表示しながら、視覚不可能領域及び視覚機能低下領域４を、被験者が、視野に認識することを支援することができ、
本発明、視野走査領域選択支援装置は、該固視標表示位置に固視標を表示しつつ、視覚不可能領域及び視覚機能低下領域４を、被験者視野に認識可能にしながら、走査領域の選択の指示が、合目的且つ迅速になされることを支援することができ、
本発明、視野走査領域選択支援装置は、該固視標表示位置に固視標を表示しつつ、視覚不可能領域及び視覚機能低下領域４を、被験者視野に認識可能にしながら、走査領域決定の指示が、合目的且つ迅速になされることを支援することができ、
本発明、視野走査領域選択支援装置は、該固視標表示位置に固視標を表示しつつ、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３５】
第八の発明である視野走査領域選択支援装置によれば、
請求項６に記載の視野走査領域選択支援装置であって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、
固視標表示位置選択決定用画面第二背景色を、常に赤橙色系統の色により設定することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、固視標移動の指示が、合目的且つ迅速になされることを支援することができ、
本発明、視野走査領域選択支援装置は、視覚不可能領域及び視覚機能低下領域４を、被験者視野に認識可能にしながら、固視標表示位置の決定の指示が、合目的且つ迅速になされることを支援することができ、
本発明、視野走査領域選択支援装置は、決定された固視標表示位置を記憶装置に記憶することができ、
本発明、視野走査領域選択支援装置が、走査領域の合目的且つ迅速な選択及び決定を支援する際には、該固視標表示位置は読み出され固視標を表示する位置を表すものとして利用されることができ、
本発明、視野走査領域選択支援装置による、走査領域の合目的且つ迅速な選択及び決定の支援の際には、
本発明、視野走査領域選択支援装置は、該固視標表示位置に固視標を表示しながら、視覚不可能領域及び視覚機能低下領域４を、被験者が、視野に認識することを支援することができ、
本発明、視野走査領域選択支援装置は、該固視標表示位置に固視標を表示しつつ、視覚不可能領域及び視覚機能低下領域４を、被験者視野に認識可能にしながら、走査領域の選択の指示が、合目的且つ迅速になされることを支援することができ、
本発明、視野走査領域選択支援装置は、該固視標表示位置に固視標を表示しつつ、視覚不可能領域及び視覚機能低下領域４を、被験者視野に認識可能にしながら、走査領域決定の指示が、合目的且つ迅速になされることを支援することができ、
本発明、視野走査領域選択支援装置は、該固視標表示位置に固視標を表示しつつ、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３６】
第九の発明である視野走査領域選択支援装置によれば、
請求項６に記載の視野走査領域選択支援装置であって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、固視標移動の指示が、合目的且つ迅速になされることを支援することができ、
本発明、視野走査領域選択支援装置は、視覚不可能領域及び視覚機能低下領域４を、被験者視野に認識可能にしながら、固視標表示位置の決定の指示が、合目的且つ迅速になされることを支援することができ、
本発明、視野走査領域選択支援装置は、決定された固視標表示位置を記憶装置に記憶することができ、
本発明、視野走査領域選択支援装置が、走査領域の合目的且つ迅速な選択及び決定を支援する際には、該固視標表示位置は読み出され固視標を表示する位置を表すものとして利用されることができ、
本発明、視野走査領域選択支援装置による、走査領域の合目的且つ迅速な選択及び決定の支援の際には、
本発明、視野走査領域選択支援装置は、該固視標表示位置に固視標を表示しながら、視覚不可能領域及び視覚機能低下領域４を、被験者が、視野に認識することを支援することができ、
本発明、視野走査領域選択支援装置は、該固視標表示位置に固視標を表示しつつ、視覚不可能領域及び視覚機能低下領域４を、被験者視野に認識可能にしながら、走査領域の選択の指示が、合目的且つ迅速になされることを支援することができ、
本発明、視野走査領域選択支援装置は、該固視標表示位置に固視標を表示しつつ、視覚不可能領域及び視覚機能低下領域４を、被験者視野に認識可能にしながら、走査領域決定の指示が、合目的且つ迅速になされることを支援することができ、
本発明、視野走査領域選択支援装置は、該固視標表示位置に固視標を表示しつつ、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３７】
第十の発明である視野走査領域選択支援装置によれば、
請求項６に記載の視野走査領域選択支援装置であって、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とするので、
本発明、視野走査領域選択支援装置は、視覚不可能領域及び視覚機能低下領域４を、被験者が、視野に認識することを支援することができ、
本発明、視野走査領域選択支援装置は、視覚不可能領域及び視覚機能低下領域４を、被験者視野に認識可能にしながら、固視標移動の指示が、合目的且つ迅速になされることを支援することができ、
本発明、視野走査領域選択支援装置は、視覚不可能領域及び視覚機能低下領域４を、被験者視野に認識可能にしながら、固視標表示位置の決定の指示が、合目的且つ迅速になされることを支援することができ、
本発明、視野走査領域選択支援装置は、決定された固視標表示位置を記憶装置に記憶することができ、
本発明、視野走査領域選択支援装置が、走査領域の合目的且つ迅速な選択及び決定を支援する際には、該固視標表示位置は読み出され固視標を表示する位置を表すものとして利用されることができ、
本発明、視野走査領域選択支援装置による、走査領域の合目的且つ迅速な選択及び決定の支援の際には、
本発明、視野走査領域選択支援装置は、該固視標表示位置に固視標を表示しながら、視覚不可能領域及び視覚機能低下領域４を、被験者が、視野に認識することを支援することができ、
本発明、視野走査領域選択支援装置は、該固視標表示位置に固視標を表示しつつ、視覚不可能領域及び視覚機能低下領域４を、被験者視野に認識可能にしながら、走査領域の選択の指示が、合目的且つ迅速になされることを支援することができ、
本発明、視野走査領域選択支援装置は、該固視標表示位置に固視標を表示しつつ、視覚不可能領域及び視覚機能低下領域４を、被験者視野に認識可能にしながら、走査領域決定の指示が、合目的且つ迅速になされることを支援することができ、
本発明、視野走査領域選択支援装置は、該固視標表示位置に固視標を表示しつつ、決定された走査領域である矩形の左上端の座標及び右下端の座標を、視標により走査されるべき走査領域を構成する座標として記憶装置に記憶することができ、後にその走査領域に対し視標により走査を行おうとする際には、該座標は読み出され利用されることができる。
【００３８】
第十一の発明であるプログラムによれば、
コンピュータを、
視標により走査される走査領域の合目的且つ迅速な選択及び決定を支援する視野走査領域選択支援装置であって、
走査領域を選択及び決定する画面である走査領域選択決定用画面を出力装置に生成する走査領域選択決定用画面生成手段と、
該走査領域選択決定用画面生成手段により生成された走査領域選択決定用画面において、走査領域の選択及び決定が行われる際に、固視標に対して背景となる画面全面により一様に表される第一の、走査領域選択決定用画面背景色として、走査領域選択決定用画面第一背景色を設定する走査領域選択決定用画面第一背景色設定手段と、
前記走査領域選択決定用画面生成手段により生成された走査領域選択決定用画面において、走査領域の選択及び決定が行われる際に、固視標に対して背景となる画面全面が一様に表す第二の、走査領域選択決定用画面背景色として、走査領域選択決定用画面第二背景色を設定する走査領域選択決定用画面第二背景色設定手段と、
前記走査領域選択決定用画面の背景色を、前記走査領域選択決定用画面第一背景色設定手段により設定された走査領域選択決定用画面第一背景色と、前記走査領域選択決定用画面第二背景色設定手段により設定された走査領域選択決定用画面第二背景色の、
２色により交互させ続けながら表示する、走査領域選択決定用画面背景色交互表示制御手段と、
該走査領域選択決定用画面背景色交互表示制御手段が、前記走査領域選択決定用画面において、前記走査領域選択決定用画面第一背景色を表示開始する時点から、背景色を前記走査領域選択決定用画面第二背景色に変えるために、前記走査領域選択決定用画面第一背景色の表示をやめる時点までの時間の長さを設定する走査領域選択決定用画面第一背景色表示時間設定手段と、
前記走査領域選択決定用画面背景色交互表示制御手段が、前記走査領域選択決定用画面において、前記走査領域選択決定用画面第二背景色を表示開始する時点から、背景色を前記走査領域選択決定用画面第一背景色に変えるために、前記走査領域選択決定用画面第二背景色の表示をやめる時点までの時間の長さを設定する走査領域選択決定用画面第二背景色表示時間設定手段と、
走査領域の選択決定がなされる際に凝視される走査領域選択決定用画面における固視標を表示する走査領域選択決定用画面固視標表示制御手段と、
前記走査領域選択決定用画面背景色交互表示制御手段により、
前記走査領域選択決定用画面の背景色を、
前記走査領域選択決定用画面第一背景色と、
前記走査領域選択決定用画面第二背景色、の
２色で交互させ続けて表示しながら、
前記走査領域選択決定用画面において、矩形としての走査領域の選択がなされるが、該選択の際になされる走査領域選択指示を、入力装置を経て受け付ける走査領域選択指示受付手段と、
該走査領域選択指示受付手段により、前記走査領域選択決定用画面において、走査領域の選択がなされた後、該領域を走査領域として決定する指示を、入力装置を経て受け付ける走査領域決定指示受付手段と、
該走査領域決定指示受付手段により受け付けられた走査領域である矩形の左上端の座標及び右下端の座標を、記憶装置に記憶する走査領域矩形座標記憶手段、
として機能させることを特徴とするプログラムであるので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００３９】
第十二の発明であるプログラムによれば、
請求項１１に記載のプログラムであって、
前記走査領域選択決定用画面第一背景色設定手段は、走査領域選択決定用画面第一背景色を、常に黒色系統の暗色により設定することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４０】
第十三の発明であるプログラムによれば、
請求項１１に記載のプログラムであって、
前記走査領域選択決定用画面第一背景色設定手段は、走査領域選択決定用画面第一背景色を、常に黒色系統の暗色により設定し、
前記走査領域選択決定用画面第二背景色設定手段は、走査領域選択決定用画面第二背景色を、常に赤橙色系統の色により設定することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４１】
第十四の発明であるプログラムによれば、
請求項１１に記載のプログラムであって、
前記走査領域選択決定用画面第一背景色設定手段は、走査領域選択決定用画面第一背景色を、常に黒色系統の暗色により設定し、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４２】
第十五の発明であるプログラムによれば、
請求項１１に記載のプログラムであって、
前記走査領域選択決定用画面第二背景色設定手段は、前記走査領域選択決定用画面背景色交互表示制御手段により、走査領域選択決定用画面の背景色の交互表示が行われる度に、走査領域選択決定用画面第二背景色を、演算装置による乱数発生を利用して、ランダムな色で再設定することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４３】
第十六の発明であるプログラムによれば、
コンピュータを、
さらに、
固視標を表示する位置を選択及び決定する画面である固視標表示位置選択決定用画面を出力装置に生成する固視標表示位置選択決定用画面生成手段と、
該固視標表示位置選択決定用画面生成手段により生成された固視標表示位置選択決定用画面において、固視標表示位置の選択及び決定が行われる際に、固視標に対して背景となる画面全面により一様に表される第一の、固視標表示位置選択決定用画面背景色として、固視標表示位置選択決定用画面第一背景色を設定する固視標表示位置選択決定用画面第一背景色設定手段と、
前記固視標表示位置選択決定用画面生成手段により生成された固視標表示位置選択決定用画面において、固視標表示位置の選択及び決定が行われる際に、固視標に対して背景となる画面全面が一様に表す第二の、固視標表示位置選択決定用画面背景色として、固視標表示位置選択決定用画面第二背景色を設定する固視標表示位置選択決定用画面第二背景色設定手段と、
前記固視標表示位置選択決定用画面の背景色を、前記固視標表示位置選択決定用画面第一背景色設定手段により設定された固視標表示位置選択決定用画面第一背景色と、前記固視標表示位置選択決定用画面第二背景色設定手段により設定された固視標表示位置選択決定用画面第二背景色の、
２色により交互させ続けながら表示する、固視標表示位置選択決定用画面背景色交互表示制御手段と、
該固視標表示位置選択決定用画面背景色交互表示制御手段が、前記固視標表示位置選択決定用画面において、前記固視標表示位置選択決定用画面第一背景色を表示開始する時点から、背景色を前記固視標表示位置選択決定用画面第二背景色に変えるために、前記固視標表示位置選択決定用画面第一背景色の表示をやめる時点までの時間の長さを設定する固視標表示位置選択決定用画面第一背景色表示時間設定手段と、
前記固視標表示位置選択決定用画面背景色交互表示制御手段が、前記固視標表示位置選択決定用画面において、前記固視標表示位置選択決定用画面第二背景色を表示開始する時点から、背景色を前記固視標表示位置選択決定用画面第一背景色に変えるために、前記固視標表示位置選択決定用画面第二背景色の表示をやめる時点までの時間の長さを設定する固視標表示位置選択決定用画面第二背景色表示時間設定手段と、
前記固視標表示位置選択決定用画面に、固視標表示位置の選択決定がなされる際に凝視される固視標を表示する固視標表示位置選択決定用画面固視標表示制御手段と、
該固視標表示位置選択決定用画面固視標表示制御手段により、前記固視標表示位置選択決定用画面に表示される固視標の初期表示位置を設定する固視標表示位置選択決定用画面固視標初期表示位置設定手段と、
前記固視標表示位置選択決定用画面背景色交互表示制御手段により、
前記固視標表示位置選択決定用画面の背景色を、
前記固視標表示位置選択決定用画面第一背景色と、
前記固視標表示位置選択決定用画面第二背景色、の
２色で交互させ続けて表示しながら、
前記固視標表示位置選択決定用画面における固視標表示位置の選択がなされるが、
該選択の際になされる固視標移動の指示を、入力装置を経て受け付ける固視標移動指示受付手段と、
該固視標移動指示受付手段により、前記固視標移動の指示が受け付けられると、該指示に基づいて、固視標に所定の移動を行わせる固視標移動表示制御手段と、
該固視標移動表示制御手段により、前記固視標表示位置選択決定用画面において、固視標表示位置の選択がなされた後、該表示位置を固視標表示位置として決定する指示を、入力装置を経て受け付ける
固視標表示決定位置指示受付手段と、
該固視標表示決定位置指示受付手段により受け付けられた固視標表示決定位置を、記憶装置に記憶する固視標表示決定位置記憶手段、
として、
機能させる請求項１１に記載のプログラムであって、
前記走査領域選択決定用画面固視標表示制御手段は、
前記固視標表示決定位置記憶手段により記憶された
前記固視標表示決定位置を読み出し、該固視標表示決定位置に相当する前記走査領域選択決定用画面における位置に、
走査領域の選択決定がなされる際に凝視される走査領域選択決定用画面固視標を表示することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、固視標移動の指示が、合目的且つ迅速になされることを支援するようにコンピュータを機能させることができ、
本発明、プログラムは、視覚不可能領域及び視覚機能低下領域４を、被験者視野に認識可能にしながら、固視標表示位置の決定の指示が、合目的且つ迅速になされることを支援するようにコンピュータを機能させることができ、
本発明、プログラムは、決定された固視標表示位置を記憶装置に記憶するようにコンピュータを機能させることができ、
本発明、プログラムが、走査領域の合目的且つ迅速な選択及び決定を支援するようにコンピュータを機能させる際には、該固視標表示位置は読み出され固視標を表示する位置を表すものとして利用されるようにコンピュータを機能させることができ、
本発明、プログラムは、走査領域の合目的且つ迅速な選択及び決定を支援するようにコンピュータを機能させる際には、
本発明、プログラムは、該固視標表示位置に固視標を表示しながら、視覚不可能領域及び視覚機能低下領域４を、被験者が、視野に認識することを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、該固視標表示位置に固視標を表示しつつ、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４４】
第十七の発明であるプログラムによれば、
請求項１６に記載のプログラムであって、
前記固視標表示位置選択決定用画面第一背景色設定手段は、固視標表示位置選択決定用画面第一背景色を、常に黒色系統の暗色により設定することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、固視標移動の指示が、合目的且つ迅速になされることを支援するようにコンピュータを機能させることができ、
本発明、プログラムは、視覚不可能領域及び視覚機能低下領域４を、被験者視野に認識可能にしながら、固視標表示位置の決定の指示が、合目的且つ迅速になされることを支援するようにコンピュータを機能させることができ、
本発明、プログラムは、決定された固視標表示位置を記憶装置に記憶するようにコンピュータを機能させることができ、
本発明、プログラムが、走査領域の合目的且つ迅速な選択及び決定を支援するようにコンピュータを機能させる際には、該固視標表示位置は読み出され固視標を表示する位置を表すものとして利用されるようにコンピュータを機能させることができ、
本発明、プログラムは、走査領域の合目的且つ迅速な選択及び決定を支援するようにコンピュータを機能させる際には、
本発明、プログラムは、該固視標表示位置に固視標を表示しながら、視覚不可能領域及び視覚機能低下領域４を、被験者が、視野に認識することを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、該固視標表示位置に固視標を表示しつつ、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４５】
第十八の発明であるプログラムによれば、
請求項１６に記載のプログラムであって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、
固視標表示位置選択決定用画面第二背景色を、常に赤橙色系統の色により設定することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、固視標移動の指示が、合目的且つ迅速になされることを支援するようにコンピュータを機能させることができ、
本発明、プログラムは、視覚不可能領域及び視覚機能低下領域４を、被験者視野に認識可能にしながら、固視標表示位置の決定の指示が、合目的且つ迅速になされることを支援するようにコンピュータを機能させることができ、
本発明、プログラムは、決定された固視標表示位置を記憶装置に記憶するようにコンピュータを機能させることができ、
本発明、プログラムが、走査領域の合目的且つ迅速な選択及び決定を支援するようにコンピュータを機能させる際には、該固視標表示位置は読み出され固視標を表示する位置を表すものとして利用されるようにコンピュータを機能させることができ、
本発明、プログラムは、走査領域の合目的且つ迅速な選択及び決定を支援するようにコンピュータを機能させる際には、
本発明、プログラムは、該固視標表示位置に固視標を表示しながら、視覚不可能領域及び視覚機能低下領域４を、被験者が、視野に認識することを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、該固視標表示位置に固視標を表示しつつ、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４６】
第十九の発明であるプログラムによれば、
請求項１６に記載のプログラムであって、
前記固視標表示位置選択決定用画面第一背景色設定手段は、固視標表示位置選択決定用画面第一背景色を、常に黒色系統の暗色により設定し、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、固視標移動の指示が、合目的且つ迅速になされることを支援するようにコンピュータを機能させることができ、
本発明、プログラムは、視覚不可能領域及び視覚機能低下領域４を、被験者視野に認識可能にしながら、固視標表示位置の決定の指示が、合目的且つ迅速になされることを支援するようにコンピュータを機能させることができ、
本発明、プログラムは、決定された固視標表示位置を記憶装置に記憶するようにコンピュータを機能させることができ、
本発明、プログラムが、走査領域の合目的且つ迅速な選択及び決定を支援するようにコンピュータを機能させる際には、該固視標表示位置は読み出され固視標を表示する位置を表すものとして利用されるようにコンピュータを機能させることができ、
本発明、プログラムは、走査領域の合目的且つ迅速な選択及び決定を支援するようにコンピュータを機能させる際には、
本発明、プログラムは、該固視標表示位置に固視標を表示しながら、視覚不可能領域及び視覚機能低下領域４を、被験者が、視野に認識することを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、該固視標表示位置に固視標を表示しつつ、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４７】
第二十の発明であるプログラムによれば、
請求項１６に記載のプログラムであって、
前記固視標表示位置選択決定用画面第二背景色設定手段は、前記固視標表示位置選択決定用画面背景色交互表示制御手段により、固視標表示位置選択決定用画面の背景色の交互表示が行われる度に、固視標表示位置選択決定用画面第二背景色を、演算装置による乱数発生を利用して、ランダムな色で再設定することを特徴とするので、
本発明、プログラムは、視覚不可能領域及び視覚機能低下領域４を、被験者が、視野に認識することを支援するようにコンピュータを機能させることができ、
本発明、プログラムは、視覚不可能領域及び視覚機能低下領域４を、被験者視野に認識可能にしながら、固視標移動の指示が、合目的且つ迅速になされることを支援するようにコンピュータを機能させることができ、
本発明、プログラムは、視覚不可能領域及び視覚機能低下領域４を、被験者視野に認識可能にしながら、固視標表示位置の決定の指示が、合目的且つ迅速になされることを支援するようにコンピュータを機能させることができ、
本発明、プログラムは、決定された固視標表示位置を記憶装置に記憶するようにコンピュータを機能させることができ、
本発明、プログラムが、走査領域の合目的且つ迅速な選択及び決定を支援するようにコンピュータを機能させる際には、該固視標表示位置は読み出され固視標を表示する位置を表すものとして利用されるようにコンピュータを機能させることができ、
本発明、プログラムは、走査領域の合目的且つ迅速な選択及び決定を支援するようにコンピュータを機能させる際には、
本発明、プログラムは、該固視標表示位置に固視標を表示しながら、視覚不可能領域及び視覚機能低下領域４を、被験者が、視野に認識することを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域の選択の指示が、合目的且つ迅速になされることを支援するようにコンピュータを機能させることができ、
本発明、プログラムは、該固視標表示位置に固視標を表示しつつ、視覚不可能領域及び視覚機能低下領域４を、被験者視野に認識可能にしながら、走査領域決定の指示が、合目的且つ迅速になされることを支援するようにコンピュータを機能させることができ、
本発明、プログラムは、該固視標表示位置に固視標を表示しつつ、決定された走査領域である矩形の左上端の座標及び右下端の座標を、視標により走査されるべき走査領域を構成する座標として記憶装置に記憶するようにコンピュータを機能させることができ、後にその走査領域に対し視標により走査を行おうとする際には、該座標は読み出され利用され得るようにコンピュータを機能させることができる。
【００４８】
第二十一の発明であるコンピュータ読み取り可能な記憶媒体によれば、
請求項１１〜請求項２０のいずれか一項に記載のプログラムを記録したことを特徴とするコンピュータ読み取り可能な記憶媒体であるので、
コンピュータに読み取り、プログラムを、実行することで、本発明、視野走査領域選択支援装置を実現することができる。
【発明を実施するための最良の形態】
【００４９】
本発明、視野走査領域選択支援装置、視野走査領域選択支援装置作動方法、視野走査領域選択支援装置を実現させるプログラム、及びコンピュータに読み取り可能な記憶媒体について、図面を参照しながら詳細に説明する。
【００５０】
まず、図３１及び図３２を参照して、本発明、視野走査領域選択支援装置の構成について説明する。
図３１は、本発明、視野走査領域選択支援装置の構成の一例を表している。
図３２は、本発明、視野走査領域選択支援装置におけるＣＰＵ５０１のハードウェア構成の一例を表している。
【００５１】
図３１は、コンピュータシステム３０１の概略構成を示している。
本発明、視野走査領域選択支援装置は、コンピュータシステム３０１により、本発明、視野走査領域選択支援装置を実現させるプログラムを実行することで実現される。
本実施形態の視野走査領域選択支援装置を実現するコンピュータシステム３０１は、図３１に示すように、後述するＣＰＵ（Ｃｅｎｔｒａｌ  Ｐｒｏｃｅｓｓｉｎｇ  Ｕｎｉｔ）５０１等を備える本体３０２と、キーボード３０３、マウス３０６、ディスプレイ３０４、プリンタ３０５、（必要であればスピーカ３０７）から構成されている。
【００５２】
次に、本発明、視野走査領域選択支援装置におけるＣＰＵ５０１のハードウェア構成の一例を、図３２を参照しつつ説明する。
本発明、視野走査領域選択支援装置におけるＣＰＵ５０１は、具体的には、ＣＰＵ５０１等のマイクロプロセッサ、ＲＡＭ（Ｒａｎｄｏｍ  Ａｃｃｅｓｓ  Ｍｅｍｏｒｙ）５０２、ＲＯＭ（Ｒｅａｄ  Ｏｎｌｙ  Ｍｅｍｏｒｙ）５０３、ＨＤＤ（Ｈａｒｄ  Ｄｉｓｃ  Ｄｒｉｖｅ）５０４、キーボード３０３、マウス３０６、ディスプレイ３０４、プリンタ３０５、スピーカ３０７及び通信インターフェースを含んで構成される。
以上の各部分は、バス５０５により接続されている。
（ＨＤＤ５０４は入出力インターフェースを経てバス５０５に接続されている。）
キーボード３０３は入出力インターフェースを経てバス５０５に接続されており、キーボード３０３からの入力をＣＰＵ５０１に出力することができる。
ディスプレイ３０４は入出力インターフェースを経てバス５０５に接続されており、ＣＰＵ５０１からのイメージデータの入力をディスプレイ３０４に出力することができる。
マウス３０６は入出力インターフェースを経てバス５０５に接続されており、マウス３０６からの入力をＣＰＵ５０１に出力することができる。
プリンタ３０５は入出力インターフェースを経てバス５０５に接続されており、ＣＰＵ５０１からの入力をプリンタ３０５により出力することができる。
（スピーカ３０７は入出力インターフェースを経てバス５０５に接続されており、ＣＰＵ５０１からの入力をスピーカ３０７により出力することができる。）
【００５３】
ＣＰＵ５０１は、ＨＤＤ（Ｈａｒｄ  Ｄｉｓｃ  Ｄｒｉｖｅ）５０４に格納された本発明、視野走査領域選択支援装置を実現させるプログラムを、ＲＡＭ５０２上に展開することにより、本実施形態に特徴的な動作を実行する。
【００５４】
ＣＰＵ５０１は、本発明、視野走査領域選択支援装置を実現させるプログラムに従って、本発明、視野走査領域選択支援装置の制御や、各種の演算処理などを実行する。
ＣＰＵ５０１は、ディスプレイ３０４（出力装置の一例）による表示処理の制御を行う。
（例えば、具体的には、画面背景色及び固視標の表示制御を行ったりする。） 
ＣＰＵ５０１は、キーボード３０３（入力装置の一例）からの入力に応じて、本発明、視野走査領域選択支援装置の制御を行う。
ＣＰＵ５０１は、マウス３０６（入力装置の一例）からの入力に応じて、本発明、視野走査領域選択支援装置の制御を行うようにしてもよい。
ＣＰＵ５０１は、視野走査領域選択支援装置により選択及び決定がなされた走査領域等の出力を、プリンタ３０５等から出力させるよう制御することができる。
（必要であれば、ＣＰＵ５０１は、（例えばキーボード３０３等入力装置からの入力に応じて、あるいは例えば、ディスプレイ３０４や、プリンタ３０５等の出力装置に出力を行う際、等に）スピーカ３０７（出力装置の一例）から出力を生じさせるよう制御を行うようにしてもよい。）
【００５５】
キーボード３０３、マウス３０６、及びディスプレイ３０４は、本発明、視野走査領域選択支援装置のユーザインターフェースとして利用される。
キーボード３０３は、例えば入力を行うためのデバイス（入力装置）として利用される。
マウス３０６は、ディスプレイ３０４の表示画面に、各種の入力を行うためのデバイスとして利用される。
【００５６】
ディスプレイ３０４は、例えば、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等からなる表示デバイス（出力装置）であり、本発明、視野走査領域選択支援装置による画面背景色及び固視標の表示を行ったり、走査領域の選択及び決定がなされることを支援する。
（必要であれば、ディスプレイ３０４に、各種の操作画面や、設定画面などを表示するようにしてもよい。）
【００５７】
また、ＣＰＵ５０１がインターネットやＬＡＮ（Ｌｏｃａｌ  Ａｒｅａ  Ｎｅｔｗｏｒｋ）等のネットワークに接続されている場合には、通信インターフェースにＬＡＮカード等のネットワークアダプタやモデム等の通信機器を具備させて、ネットワークによりデータ通信を行えるように構成することができる。その場合、本発明、視野走査領域選択支援装置を実現させるプログラムを格納するサーバを、ネットワークに設置し、ＣＰＵ５０１をサーバのクライアント端末として構成することにより、本発明における動作を、視野走査領域選択支援装置に実行させることができる。
【００５８】
また、本発明、視野走査領域選択支援装置を実現させるプログラムは、コンピュータに読み取り可能な記憶媒体（記録媒体）に記憶させることができる。
このような記憶媒体（記録媒体）として、例えば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）、半導体メモリ等がある。
【００５９】
次に、本発明、視野走査領域選択支援装置、視野走査領域選択支援装置作動方法、及び視野走査領域選択支援装置を実現させるプログラムによる視野走査領域選択支援装置の制御について、図１〜図３０を参照しながら詳細に説明する。
【００６０】
図１は、本発明、視野走査領域選択支援装置の最良の実施形態の作動態様の一例により、被験者が視野に認識できる視覚不可能領域及び視覚機能低下領域を説明する図である。
【００６１】
図２〜図５は、本発明、視野走査領域選択支援装置の最良の実施形態の作動態様の一例における、走査領域選択指示受付中になされる走査領域選択操作の推移を説明する図である。
【００６２】
図６は、本発明、視野走査領域選択支援装置の最良の実施形態の作動態様の一例により決定された走査領域を説明する図である。
【００６３】
図７〜図９は、本発明、視野走査領域選択支援装置の最良の実施形態の作動態様の一例における、走査領域選択指示受付中になされる走査領域選択操作の推移を説明する図である。
【００６４】
図１０は、本発明、視野走査領域選択支援装置の最良の実施形態の作動態様の一例により、合目的且つ迅速に、暗点と盲点の接続部分を、走査領域として選択決定することが支援された状態を説明する図である。
【００６５】
図１１は、本発明、視野走査領域選択支援装置の最良の実施形態の作動態様の一例により、合目的且つ迅速に、暗点を、走査領域として選択決定することが支援された状態を説明する図である。
【００６６】
図１２は、本発明、視野走査領域選択支援装置の最良の実施形態の作動態様の一例により、合目的且つ迅速に、暗点における固視標付近に位置する部分を、走査領域として選択決定することが支援された状態を説明する図である。
【００６７】
図１３は、本発明、視野走査領域選択支援装置の最良の実施形態の作動態様の一例により、合目的且つ迅速に、盲点との接続部分を含んだ暗点全体を、走査領域として選択決定することが支援された状態を説明する図である。
【００６８】
図１４は、本発明、視野走査領域選択支援装置の最良の実施形態の作動態様の一例により、暗点と盲点の接続部分が、固視標表示位置選択決定用画面の中心に位置するように、合目的且つ迅速に、固視標を移動させることが支援された状態を説明する図である。
【００６９】
図１５は、本発明、視野走査領域選択支援装置の最良の実施形態の作動態様の一例により、固視標表示位置選択決定用画面が狭い場合に、被験者が視野に認識できる視覚不可能領域及び視覚機能低下領域を説明する図である。
【００７０】
図１６は、本発明、視野走査領域選択支援装置の最良の実施形態の作動態様の一例により、固視標表示位置選択決定用画面が狭い場合に、暗点と盲点の接続部分が、固視標表示位置選択決定用画面の中心に位置するように、合目的且つ迅速に、固視標を移動させることが支援された状態を説明する図である。
【００７１】
図１７は、本発明、視野走査領域選択支援装置の最良の実施形態の作動態様の一例により、図１６において選択され決定された固視標表示位置に相当する走査領域選択決定用画面における位置に固視標を表示し、合目的且つ迅速に、暗点と盲点の接続部分を、走査領域として選択決定することが支援された状態を説明する図である。
【００７２】
図１８〜図２２は、本発明、視野走査領域選択支援装置における視野走査領域選択決定支援処理の最良の実施形態の一例を表す流れ図である。
【００７３】
図２３〜図２７は、本発明、視野走査領域選択支援装置における視野走査領域選択決定支援処理の最良の実施形態の一例を表す流れ図である。
【００７４】
図２８〜図３０は、本発明、視野走査領域選択支援装置における固視標表示位置選択決定支援処理の最良の実施形態の一例を表す流れ図である。
【００７５】
まず、図１を参照しながら、本発明、視野走査領域選択支援装置の最良の実施形態の作動態様の一例により、被験者が視野に認識できる視覚不可能領域及び視覚機能低下領域を詳細に説明する。
【００７６】
ＣＰＵ５０１は、走査領域選択決定用画面１を出力装置（例えばディスプレイ３０４）に生成する。
【００７７】
ＣＰＵ５０１は、本発明、視野走査領域選択支援装置を実現させるプログラムに従い、走査領域選択決定用画面１において、設定された位置に、走査領域選択決定用画面における固視標２を表示する。
走査領域選択決定用画面における固視標２は、走査領域の選択決定がなされる際に、被験者の片側の目により凝視されるべき固視標である。
【００７８】
ＣＰＵ５０１は、本発明、視野走査領域選択支援装置を実現させるプログラムに従い、
走査領域選択決定用画面１の背景色を、（走査領域選択決定用画面第一背景色設定手段により設定された）走査領域選択決定用画面第一背景色と、（走査領域選択決定用画面第二背景色設定手段により設定された）走査領域選択決定用画面第二背景色の、
２色により交互させ続けながら表示する（走査領域選択決定用画面背景色交互表示３）ので、走査領域選択決定用画面における固視標２を凝視する被験者は、（走査領域選択決定用画面１に対応する）視野に、（例えば）視覚不可能領域及び視覚機能低下領域４を認識することができるようになる。
（走査領域選択決定用画面背景色交互表示制御手段の一環である。）
（走査領域選択決定用画面第一背景色設定手段は、
走査領域選択決定用画面１において、走査領域の選択及び決定が行われる際に、固視標に対して背景となる画面全面により一様に表される第一の、走査領域選択決定用画面背景色として、走査領域選択決定用画面第一背景色を設定する。）
（走査領域選択決定用画面第一背景色設定手段は、さらに、走査領域選択決定用画面第一背景色を指定するための走査領域選択決定用画面第一背景色指定手段を備えるとしてもよい。）
（走査領域選択決定用画面第二背景色設定手段は、
走査領域選択決定用画面１において、走査領域の選択及び決定が行われる際に、固視標に対して背景となる画面全面が一様に表す第二の、走査領域選択決定用画面背景色として、走査領域選択決定用画面第二背景色を設定する。）
（走査領域選択決定用画面第二背景色設定手段は、さらに、走査領域選択決定用画面第二背景色を指定するための走査領域選択決定用画面第二背景色指定手段を備えるとしてもよい。）
（走査領域選択決定用画面第一背景色表示時間設定手段は、
走査領域選択決定用画面背景色交互表示制御手段が、走査領域選択決定用画面１において、走査領域選択決定用画面第一背景色を表示開始する時点から、背景色を走査領域選択決定用画面第二背景色に変えるために、走査領域選択決定用画面第一背景色の表示をやめる時点までの時間の長さを設定する。）
（走査領域選択決定用画面第一背景色表示時間設定手段は、さらに、走査領域選択決定用画面第一背景色の表示時間を指定するための走査領域選択決定用画面第一背景色表示時間指定手段を備えるとしてもよい。）
（走査領域選択決定用画面第二背景色表示時間設定手段は、
走査領域選択決定用画面背景色交互表示制御手段が、走査領域選択決定用画面１において、走査領域選択決定用画面第二背景色を表示開始する時点から、背景色を走査領域選択決定用画面第一背景色に変えるために、走査領域選択決定用画面第二背景色の表示をやめる時点までの時間の長さを設定する。）
（走査領域選択決定用画面第二背景色表示時間設定手段は、さらに、走査領域選択決定用画面第二背景色の表示時間を指定するための走査領域選択決定用画面第二背景色表示時間指定手段を備えるとしてもよい。）
【００７９】
本発明、実施の形態における一例においては、
走査領域選択決定用画面第一背景色設定手段は、走査領域選択決定用画面第一背景色を、常に黒色系統の暗色により設定している。
（そのような場合、
走査領域選択決定用画面第二背景色設定手段は、走査領域選択決定用画面第二背景色を、より明るい他の色（例えば赤橙色系統の色等）により設定するとしてもよい。）
【００８０】
本発明、実施の形態における一例においては、
走査領域選択決定用画面第一背景色設定手段は、走査領域選択決定用画面第一背景色を、常に黒色系統の暗色により設定し、
走査領域選択決定用画面第二背景色設定手段は、走査領域選択決定用画面第二背景色を、常に赤橙色系統の色により設定している。
【００８１】
本発明、実施の形態における一例においては、
走査領域選択決定用画面第一背景色設定手段は、走査領域選択決定用画面第一背景色を、常に黒色系統の暗色により設定し、
走査領域選択決定用画面第二背景色設定手段は、走査領域選択決定用画面背景色交互表示制御手段により、走査領域選択決定用画面１の背景色の交互表示が行われる（走査領域選択決定用画面背景色交互表示３）度に、走査領域選択決定用画面第二背景色を、演算装置による乱数発生を利用して、ランダムな色で再設定している。
【００８２】
本発明、実施の形態における一例においては、
走査領域選択決定用画面第二背景色設定手段は、走査領域選択決定用画面背景色交互表示制御手段により、走査領域選択決定用画面１の背景色の交互表示が行われる（走査領域選択決定用画面背景色交互表示３）度に、走査領域選択決定用画面第二背景色を、演算装置による乱数発生を利用して、ランダムな色で再設定している。
（そのような場合、
走査領域選択決定用画面第一背景色設定手段は、走査領域選択決定用画面第一背景色を、例えば、黒色系統の暗色等により設定するとしてもよい。）
【００８３】
次に、図２〜図５を参照しながら、本発明、視野走査領域選択支援装置の最良の実施形態の作動態様の一例における、走査領域選択指示受付中になされる走査領域選択操作の推移を詳細に説明する。
【００８４】
走査領域選択決定用画面背景色交互表示制御手段により、
走査領域選択決定用画面１の背景色を、
走査領域選択決定用画面第一背景色と、
走査領域選択決定用画面第二背景色、の
２色で交互させ続けて表示（走査領域選択決定用画面背景色交互表示３）しながら、
走査領域選択決定用画面１において、矩形としての走査領域の選択がなされるが、該選択の際になされる走査領域選択指示を、走査領域選択指示受付手段は、入力装置を経て受け付ける。
【００８５】
本発明、実施の形態における一例（図２〜図５に示される場合）においては、
走査領域選択決定用画面背景色交互表示制御手段により、
走査領域選択決定用画面１の背景色を、
走査領域選択決定用画面第一背景色と、
走査領域選択決定用画面第二背景色、の
２色で交互させ続けて表示（走査領域選択決定用画面背景色交互表示３）しながら、
走査領域選択決定用画面１において、矩形としての走査領域の選択がなされるが、
本発明、視野走査領域選択支援装置は、まず、走査領域の左上端位置の選択決定を支援するために、走査領域左上端位置選択決定支援印５を、走査領域選択決定用画面１における（例えば）固視標２の近傍に、まず表示している。
走査領域選択指示受付手段は、
走査領域の左上端位置の選択の際になされる走査領域（左上端位置）選択指示、より具体的には、例えばキーボード３０３の、例えば、カーソルキー（↑、↓、←、→）が押されることによりなされる指示、を、入力装置（例えばキーボード３０３の、例えば、カーソルキー（↑、↓、←、→））を経て受け付けるとともに、該走査領域（左上端位置）選択指示に応じて走査領域左上端位置選択決定支援印５を、例えば、走査領域左上端位置選択決定支援印６まで移動させる。
【００８６】
そのようにして、走査領域選択決定用画面１において、走査領域（左上端位置）の選択がなされた後、
走査領域決定指示受付手段は、
該領域（左上端位置）を走査領域（左上端位置）として決定する指示、より具体的には、例えばキーボード３０３の、例えば、Ｅｎｔｅｒキーが押されることによりなされる指示、を、入力装置（例えばキーボード３０３の、例えば、Ｅｎｔｅｒキー）を経て受け付ける。
そのようにして、走査領域決定指示受付手段により受け付けられた走査領域（左上端位置）を、本発明、視野走査領域選択支援装置は、記憶装置（例えば、ＲＡＭ５０２やＨＤＤ５０４等）に記憶する。（走査領域矩形座標記憶手段の一環である。）
【００８７】
本発明、視野走査領域選択支援装置は、例えば、走査領域左上端位置選択決定支援印６を走査領域選択決定用画面１に表示し続けた状態で、
続いて、
本発明、視野走査領域選択支援装置は、次に、走査領域の右下端位置の選択決定を支援するために、走査領域選択決定用画面１における（例えば）走査領域左上端位置選択決定支援印６の近傍を初期表示位置として、走査領域右下端位置選択決定支援印７を、表示する。
走査領域選択指示受付手段は、
走査領域の右下端位置の選択の際になされる走査領域（右下端位置）選択指示、より具体的には、例えばキーボード３０３の、例えば、カーソルキー（↑、↓、←、→）が押されることによりなされる指示、を、入力装置（例えばキーボード３０３の、例えば、カーソルキー（↑、↓、←、→））を経て受け付けるとともに、該走査領域（右下端位置）選択指示に応じて走査領域右下端位置選択決定支援印７を、例えば、走査領域右下端位置選択決定支援印８まで移動させる。
【００８８】
そのようにして、走査領域選択決定用画面１において、走査領域（右下端位置）の選択がなされた後、
走査領域決定指示受付手段は、
該領域（右下端位置）を走査領域（右下端位置）として決定する指示、より具体的には、例えばキーボード３０３の、例えば、Ｅｎｔｅｒキーが押されることによりなされる指示、を、入力装置（例えばキーボード３０３の、例えば、Ｅｎｔｅｒキー）を経て受け付ける。
そのようにして、走査領域決定指示受付手段により受け付けられた走査領域（右下端位置）を、本発明、視野走査領域選択支援装置は、記憶装置（例えば、ＲＡＭ５０２やＨＤＤ５０４等）に記憶する。（走査領域矩形座標記憶手段の一環である。）
【００８９】
このようにして、（図６（これは、本発明、視野走査領域選択支援装置により、暗点及び盲点全体を含むようにして、合目的且つ迅速に走査領域を選択決定しようとした例である）におけるような）決定された走査領域９の走査領域としての選択決定が、本発明、視野走査領域選択支援装置により、合目的且つ迅速に支援される。
【００９０】
次に、図７〜図９を参照しながら、本発明、視野走査領域選択支援装置の最良の実施形態の作動態様の一例における、走査領域選択指示受付中になされる走査領域選択操作の推移を詳細に説明する。
【００９１】
走査領域選択決定用画面背景色交互表示制御手段により、
走査領域選択決定用画面１の背景色を、
走査領域選択決定用画面第一背景色と、
走査領域選択決定用画面第二背景色、の
２色で交互させ続けて表示（走査領域選択決定用画面背景色交互表示３）しながら、
走査領域選択決定用画面１において、矩形としての走査領域の選択がなされるが、該選択の際になされる走査領域選択指示を、走査領域選択指示受付手段は、入力装置を経て受け付ける。
【００９２】
本発明、実施の形態における一例（図７〜図９に示される場合）においては、
走査領域選択決定用画面背景色交互表示制御手段により、
走査領域選択決定用画面１の背景色を、
走査領域選択決定用画面第一背景色と、
走査領域選択決定用画面第二背景色、の
２色で交互させ続けて表示（走査領域選択決定用画面背景色交互表示３）しながら、
走査領域選択決定用画面１において、矩形としての走査領域の選択がなされるが、
本発明、視野走査領域選択支援装置は、まず、走査領域の左上端位置の選択決定を支援するために、走査領域選択決定用画面１におけるマウスカーソルの位置を検出し、走査領域選択決定用画面１における該位置に走査領域左上端位置選択決定支援印を、まず表示している。
走査領域選択指示受付手段は、
走査領域の左上端位置の選択の際になされる走査領域（左上端位置）選択指示、より具体的には、例えばマウス３０６が動かされることによりなされる指示、を、入力装置（例えばマウス３０６）を経て受け付けるとともに、該走査領域（左上端位置）選択指示に応じて（マウスカーソルが移動するのに応じて、マウスカーソル位置に表示される）走査領域左上端位置選択決定支援印を、例えば、走査領域左上端位置選択決定支援印１０まで移動させる。
【００９３】
そのようにして、走査領域選択決定用画面１において、走査領域（左上端位置）の選択がなされた後、
走査領域決定指示受付手段は、
該領域（左上端位置）を走査領域（左上端位置）として決定する指示、より具体的には、例えばマウス３０６の、左ボタンが押し続けられ初めることによりなされる指示、を、入力装置（例えばマウス３０６の、左ボタン）を経て受け付ける。
そのようにして、走査領域決定指示受付手段により受け付けられた走査領域（左上端位置）を、本発明、視野走査領域選択支援装置は、記憶装置（例えば、ＲＡＭ５０２やＨＤＤ５０４等）に記憶する。（走査領域矩形座標記憶手段の一環である。）
【００９４】
本発明、視野走査領域選択支援装置は、例えば、走査領域左上端位置選択決定支援印（の位置を表す印）１０を走査領域選択決定用画面１に表示し続けた状態で、
続いて、
本発明、視野走査領域選択支援装置は、次に、走査領域の右下端位置の選択決定を支援するために、走査領域選択決定用画面１におけるマウスカーソルの位置を検出し、走査領域選択決定用画面１における該位置に走査領域右下端位置選択決定支援印１１を、表示する。
走査領域選択指示受付手段は、
走査領域の右下端位置の選択の際になされる走査領域（右下端位置）選択指示、より具体的には、例えばマウス３０６が動かされることによりなされる指示、を、入力装置（例えばマウス３０６）を経て受け付けるとともに、該走査領域（右下端位置）選択指示に応じて（マウスカーソルが移動するのに応じて、マウスカーソル位置に表示される）走査領域右下端位置選択決定支援印１１を、例えば、走査領域右下端位置選択決定支援印１２まで移動させる。
【００９５】
そのようにして、走査領域選択決定用画面１において、走査領域（右下端位置）の選択がなされた後、
走査領域決定指示受付手段は、
該領域（右下端位置）を走査領域（右下端位置）として決定する指示、より具体的には、例えばマウス３０６の、それまで押し続けられていた左ボタンがはなされたことによりなされる指示、を、入力装置（例えばマウス３０６の、左ボタン）を経て受け付ける。
そのようにして、走査領域決定指示受付手段により受け付けられた走査領域（右下端位置）を、本発明、視野走査領域選択支援装置は、記憶装置（例えば、ＲＡＭ５０２やＨＤＤ５０４等）に記憶する。（走査領域矩形座標記憶手段の一環である。）
【００９６】
このようにして、（図９（これは、本発明、視野走査領域選択支援装置により、視野視覚機能がわずかに低下している領域の一部分、及び、暗点と盲点の接続部分を含むようにして、合目的且つ迅速に走査領域を選択決定しようとした例である）におけるような）走査領域の選択決定が、本発明、視野走査領域選択支援装置により、合目的且つ迅速に支援される。
【００９７】
図１０は、本発明、視野走査領域選択支援装置の最良の実施形態の作動態様の一例により、合目的且つ迅速に、暗点と盲点の接続部分を、走査領域として選択決定することが既述と同様に支援された状態を説明する図である。
【００９８】
図１１は、本発明、視野走査領域選択支援装置の最良の実施形態の作動態様の一例により、合目的且つ迅速に、暗点を、走査領域として選択決定することが既述と同様に支援された状態を説明する図である。
【００９９】
図１２は、本発明、視野走査領域選択支援装置の最良の実施形態の作動態様の一例により、合目的且つ迅速に、暗点における固視標付近に位置する部分を、走査領域として選択決定することが既述と同様に支援された状態を説明する図である。
【０１００】
図１３は、本発明、視野走査領域選択支援装置の最良の実施形態の作動態様の一例により、合目的且つ迅速に、盲点との接続部分を含んだ暗点全体を、走査領域として選択決定することが既述と同様に支援された状態を説明する図である。
【０１０１】
次に、図１５を参照しながら、本発明、視野走査領域選択支援装置の最良の実施形態の作動態様の一例により、被験者が視野に認識できる視覚不可能領域及び視覚機能低下領域を詳細に説明する。
【０１０２】
ＣＰＵ５０１は、固視標を表示する位置を選択及び決定する画面である固視標表示位置選択決定用画面１３（本発明、実施の形態におけるように、走査領域選択決定用画面１のサイズと同じサイズにより生成されるとしてもよい。）を出力装置（例えばディスプレイ３０４）に生成する。
【０１０３】
ＣＰＵ５０１は、本発明、視野走査領域選択支援装置を実現させるプログラムに従い、固視標表示位置選択決定用画面１３において、設定された初期表示位置に、固視標表示位置選択決定用画面における固視標１４を表示する。
固視標表示位置選択決定用画面における固視標１４は、固視標表示位置の選択決定がなされる際に、被験者の片側の目により凝視されるべき固視標である。
【０１０４】
ＣＰＵ５０１は、本発明、視野走査領域選択支援装置を実現させるプログラムに従い、
固視標表示位置選択決定用画面１３の背景色を、（固視標表示位置選択決定用画面第一背景色設定手段により設定された）固視標表示位置選択決定用画面第一背景色と、（固視標表示位置選択決定用画面第二背景色設定手段により設定された）固視標表示位置選択決定用画面第二背景色の、
２色により交互させ続けながら表示する（固視標表示位置選択決定用画面背景色交互表示１５）ので、固視標表示位置選択決定用画面における固視標１４を凝視する被験者は、（固視標表示位置選択決定用画面１３に対応する）視野に、（例えば）視覚不可能領域及び視覚機能低下領域４を認識することができるようになる。
（固視標表示位置選択決定用画面背景色交互表示制御手段の一環である。）
しかし、図１５における状態では、走査領域選択決定用画面１が狭いため、暗点と盲点の接続部分は、走査領域選択決定用画面１の右端近くに位置しており、被験者は盲点１７の（右側）大部分の状態を視覚不可能領域及び視覚機能低下領域４として、視野に認識することができていない。
（固視標表示位置選択決定用画面第一背景色設定手段は、
固視標表示位置選択決定用画面１３において、固視標表示位置の選択及び決定が行われる際に、固視標に対して背景となる画面全面により一様に表される第一の、固視標表示位置選択決定用画面背景色として、固視標表示位置選択決定用画面第一背景色を設定する。）
（固視標表示位置選択決定用画面第一背景色設定手段は、さらに、固視標表示位置選択決定用画面第一背景色を指定するための固視標表示位置選択決定用画面第一背景色指定手段を備えるとしてもよい。）
（固視標表示位置選択決定用画面第二背景色設定手段は、
固視標表示位置選択決定用画面１３において、固視標表示位置の選択及び決定が行われる際に、固視標に対して背景となる画面全面が一様に表す第二の、固視標表示位置選択決定用画面背景色として、固視標表示位置選択決定用画面第二背景色を設定する。）
（固視標表示位置選択決定用画面第二背景色設定手段は、さらに、固視標表示位置選択決定用画面第二背景色を指定するための固視標表示位置選択決定用画面第二背景色指定手段を備えるとしてもよい。）
（固視標表示位置選択決定用画面第一背景色表示時間設定手段は、
固視標表示位置選択決定用画面背景色交互表示制御手段が、固視標表示位置選択決定用画面１３において、固視標表示位置選択決定用画面第一背景色を表示開始する時点から、背景色を固視標表示位置選択決定用画面第二背景色に変えるために、固視標表示位置選択決定用画面第一背景色の表示をやめる時点までの時間の長さを設定する。）
（固視標表示位置選択決定用画面第一背景色表示時間設定手段は、さらに、固視標表示位置選択決定用画面第一背景色の表示時間を指定するための固視標表示位置選択決定用画面第一背景色表示時間指定手段を備えるとしてもよい。）
（固視標表示位置選択決定用画面第二背景色表示時間設定手段は、
固視標表示位置選択決定用画面背景色交互表示制御手段が、固視標表示位置選択決定用画面１３において、固視標表示位置選択決定用画面第二背景色を表示開始する時点から、背景色を固視標表示位置選択決定用画面第一背景色に変えるために、固視標表示位置選択決定用画面第二背景色の表示をやめる時点までの時間の長さを設定する。）
（固視標表示位置選択決定用画面第二背景色表示時間設定手段は、さらに、固視標表示位置選択決定用画面第二背景色の表示時間を指定するための固視標表示位置選択決定用画面第二背景色表示時間指定手段を備えるとしてもよい。）
【０１０５】
本発明、実施の形態における一例においては、
固視標表示位置選択決定用画面第一背景色設定手段は、固視標表示位置選択決定用画面第一背景色を、常に黒色系統の暗色により設定している。
（そのような場合、
固視標表示位置選択決定用画面第二背景色設定手段は、固視標表示位置選択決定用画面第二背景色を、より明るい他の色（例えば赤橙色系統の色等）により設定するとしてもよい。）
【０１０６】
本発明、実施の形態における一例においては、
固視標表示位置選択決定用画面第一背景色設定手段は、固視標表示位置選択決定用画面第一背景色を、常に黒色系統の暗色により設定し、
固視標表示位置選択決定用画面第二背景色設定手段は、固視標表示位置選択決定用画面第二背景色を、常に赤橙色系統の色により設定している。
【０１０７】
本発明、実施の形態における一例においては、
固視標表示位置選択決定用画面第一背景色設定手段は、固視標表示位置選択決定用画面第一背景色を、常に黒色系統の暗色により設定し、
固視標表示位置選択決定用画面第二背景色設定手段は、固視標表示位置選択決定用画面背景色交互表示制御手段により、固視標表示位置選択決定用画面１３の背景色の交互表示が行われる（固視標表示位置選択決定用画面背景色交互表示１５）度に、固視標表示位置選択決定用画面第二背景色を、演算装置による乱数発生を利用して、ランダムな色で再設定している。
【０１０８】
本発明、実施の形態における一例においては、
固視標表示位置選択決定用画面第二背景色設定手段は、固視標表示位置選択決定用画面背景色交互表示制御手段により、固視標表示位置選択決定用画面１３の背景色の交互表示が行われる（固視標表示位置選択決定用画面背景色交互表示１５）度に、固視標表示位置選択決定用画面第二背景色を、演算装置による乱数発生を利用して、ランダムな色で再設定している。
（そのような場合、
固視標表示位置選択決定用画面第一背景色設定手段は、固視標表示位置選択決定用画面第一背景色を、例えば、黒色系統の暗色等により設定するとしてもよい。）
【０１０９】
次に、図１５及び図１６を参照しながら、本発明、視野走査領域選択支援装置の最良の実施形態の作動態様の一例により、固視標表示位置選択決定用画面１３が狭い場合に、暗点と盲点の接続部分が、固視標表示位置選択決定用画面の中心に位置するように、合目的且つ迅速に、固視標を移動させることが支援される状態を詳細に説明する。
【０１１０】
本発明、実施の形態における一例においては、
固視標表示位置選択決定用画面背景色交互表示制御手段により、
固視標表示位置選択決定用画面の背景色を、
固視標表示位置選択決定用画面第一背景色と、
固視標表示位置選択決定用画面第二背景色、の
２色で交互させ続けて表示（固視標表示位置選択決定用画面背景色交互表示１５）しながら、
固視標表示位置選択決定用画面１３において、固視標表示位置の選択がなされるが、
本発明、視野走査領域選択支援装置は、まず、固視標表示位置の選択決定を支援するために、固視標表示位置選択決定用画面における固視標１４を、固視標表示位置選択決定用画面１３における設定された初期位置に、まず表示している。
固視標移動指示受付手段は、
固視標表示位置の選択の際になされる固視標移動指示、より具体的には、例えばキーボード３０３の、例えば、カーソルキー（↑、↓、←、→）が押されることによりなされる指示、を、入力装置（例えばキーボード３０３の、例えば、カーソルキー（↑、↓、←、→））を経て受け付けるとともに、該固視標移動指示に応じて、図１５における固視標表示位置選択決定用画面における固視標１４を、例えば、図１６における固視標表示位置選択決定用画面における固視標１４まで移動させる。
（固視標移動表示制御手段の一環である。）
【０１１１】
そのようにして、固視標表示位置選択決定用画面１３において、固視標表示位置の選択がなされた後、
固視標表示決定位置指示受付手段は、
該表示位置を固視標表示位置として決定する指示、より具体的には、例えばキーボード３０３の、例えば、Ｅｎｔｅｒキーが押されることによりなされる指示、を、入力装置（例えばキーボード３０３の、例えば、Ｅｎｔｅｒキー）を経て受け付ける。
そのようにして、固視標表示決定位置指示受付手段により受け付けられた固視標表示決定位置を、本発明、視野走査領域選択支援装置は、記憶装置（例えば、ＲＡＭ５０２やＨＤＤ５０４等）に記憶する。（固視標表示決定位置記憶手段の一環である。）
【０１１２】
このようにして、（図１６（これは、本発明、視野走査領域選択支援装置により、暗点と盲点の接続部分が、固視標表示位置選択決定用画面１３の中心に位置するように合目的且つ迅速に固視標表示位置を選択決定しようとした例である）におけるような）固視標表示位置選択決定用画面における固視標１４の固視標表示位置としての選択決定が、本発明、視野走査領域選択支援装置により、合目的且つ迅速に支援される。
【０１１３】
図１４は、本発明、視野走査領域選択支援装置の最良の実施形態の作動態様の一例により、暗点と盲点の接続部分が、固視標表示位置選択決定用画面１３の中心に位置するように、合目的且つ迅速に、固視標表示位置選択決定用画面における固視標１４を移動させることが既述と同様に支援された状態を説明する図である。
【０１１４】
走査領域選択決定用画面固視標表示制御手段は、
固視標表示決定位置記憶手段により、記憶装置（例えば、ＲＡＭ５０２やＨＤＤ５０４等）に記憶された固視標表示決定位置を読み出し、該固視標表示決定位置に相当する走査領域選択決定用画面１における位置に、
走査領域の選択決定がなされる際に凝視される走査領域選択決定用画面固視標２を（図１７におけるように）表示する。
【０１１５】
図１７は、その後、本発明、視野走査領域選択支援装置の最良の実施形態の作動態様の一例により、合目的且つ迅速に、暗点と盲点の接続部分を、決定された走査領域９として選択決定することが既述と同様に支援された状態を表す図である。
【０１１６】
視覚不可能領域及び視覚機能低下領域４は、本発明、視野走査領域選択支援装置の最良の実施形態の作動態様の一例により、被験者が視野に認識できるものであり、走査領域選択決定用画面１における位置表現を正確に行う際の参考として図示したものである。
視覚不可能領域及び視覚機能低下領域４は、本発明、視野走査領域選択支援装置の最良の実施形態の作動態様の一例により、被験者が視野に認識できるものであり、固視標表示位置選択決定用画面１３における位置表現を正確に行う際の参考として図示したものである。
【０１１７】
ここで、本発明、視野走査領域選択支援装置を実現させるプログラムに従い、ＣＰＵ５０１が走査領域選択決定用画面１において行う視野走査領域選択決定支援処理について、図１８〜図２２を参照して詳細に説明する。
図１８〜図２２は、図３２に示したコンピュータにより実行される視野走査領域選択支援装置における視野走査領域選択決定支援処理を表す流れ図である。
【０１１８】
本発明、視野走査領域選択支援装置における視野走査領域選択決定支援処理のステップＳ１では、変数colord66zbの値を０に初期化している。
【０１１９】
ステップＳ２では、変数dxの値を０に初期化している。
ステップＳ２では、変数dyの値を０に初期化している。
【０１２０】
ステップＳ３では、ＣＰＵ５０１が、走査領域選択決定用画面１を出力装置（例えば、ディスプレイ３０４）に生成する。
以下、走査領域選択決定用画面１に対する説明では、走査領域選択決定用画面１の左上端の位置をｘ座標、０ドット、ｙ座標、０ドットの位置であるとし、ｘ座標軸は、走査領域選択決定用画面１の左上端から右方向に、また、ｙ座標軸は、走査領域選択決定用画面１の左上端から下方向に生成されるものとして、位置の説明を行う。
【０１２１】
ステップＳ４では、繰り返しを有するプログラム処理上、ＣＰＵ５０１が、例えば２ミリ秒待つ。
【０１２２】
ステップＳ５では、ＣＰＵ５０１が、enter key入力を検出開始することにより、走査領域決定指示受付手段を開始している。
ここでのenter keyは、走査領域選択指示受付手段により、走査領域選択決定用画面１において、走査領域の選択がなされた後、該領域を走査領域９として決定する指示を、走査領域決定指示受付手段が受け付けるために利用される入力装置の一例（他の入力装置であってもよい。）である。
【０１２３】
ステップＳ６では、ＣＰＵ５０１が、←カーソルキー入力を検出開始する。
ここでの←カーソルキーは、走査領域選択決定用画面１において、矩形としての走査領域の選択がなされる際の走査領域選択指示を、走査領域選択指示受付手段が受け付けるために利用される入力装置の一例（他の入力装置であってもよい。）である。
ステップＳ６では、ＣＰＵ５０１が、→カーソルキー入力を検出開始する。
ここでの→カーソルキーは、走査領域選択決定用画面１において、矩形としての走査領域９の選択がなされる際の走査領域選択指示を、走査領域選択指示受付手段が受け付けるために利用される入力装置の一例（他の入力装置であってもよい。）である。
ステップＳ６では、ＣＰＵ５０１が、↑カーソルキー入力を検出開始する。
ここでの↑カーソルキーは、走査領域選択決定用画面１において、矩形としての走査領域９の選択がなされる際の走査領域選択指示を、走査領域選択指示受付手段が受け付けるために利用される入力装置の一例（他の入力装置であってもよい。）である。
ステップＳ６では、ＣＰＵ５０１が、↓カーソルキー入力を検出開始する。
ここでの↓カーソルキーは、走査領域選択決定用画面１において、矩形としての走査領域９の選択がなされる際の走査領域選択指示を、走査領域選択指示受付手段が受け付けるために利用される入力装置の一例（他の入力装置であってもよい。）である。
【０１２４】
ステップＳ７では、ＣＰＵ５０１が、変数colord66zbの値を、演算装置により１インクリメントする。
変数colord66zbは、走査領域選択決定用画面第一背景色表示時間設定手段、及び
走査領域選択決定用画面第二背景色表示時間設定手段の一環をなし、走査領域選択決定用画面背景色交互表示制御手段の一例として利用される変数である。
（時刻情報等を、インクリメントされる変数colord66zbの代わりに、利用することにしてもよい。）
【０１２５】
ステップＳ８では、ＣＰＵ５０１が、演算装置により、colord66zb<２６？の判断を行う。
その２６の値とは、本発明、実施の形態における一例であり、走査領域選択決定用画面背景色交互表示制御手段が、被験者視野に、視覚不可能領域及び視覚機能低下領域４を認識させ得るような値であれば、他の値であってもよい。
ステップＳ８に設定される２６とは、走査領域選択決定用画面第二背景色表示時間設定手段、及び、走査領域選択決定用画面第一背景色表示時間設定手段の一環である。
より詳しく説明すると、その２６は、
走査領域選択決定用画面背景色交互表示制御手段が、走査領域選択決定用画面１において、走査領域選択決定用画面第二背景色を表示開始する時点を、変数colord66zbの観点から設定するための値であり、該時点から、背景色を前記走査領域選択決定用画面第一背景色に変えるために、走査領域選択決定用画面第二背景色の表示をやめる時点までの時間の長さを設定するための走査領域選択決定用画面第二背景色表示時間設定手段の一環をなしている。
また、ステップＳ８に設定される２６は、
走査領域選択決定用画面背景色交互表示制御手段が、走査領域選択決定用画面１において、走査領域選択決定用画面第一背景色を表示開始した後、背景色を走査領域選択決定用画面第二背景色に変えるために、走査領域選択決定用画面第一背景色の表示をやめる時点を、変数colord66zbの観点から２５に設定するものであり、
走査領域選択決定用画面背景色交互表示制御手段が、走査領域選択決定用画面１において、走査領域選択決定用画面第一背景色を表示開始する時点から、背景色を走査領域選択決定用画面第二背景色に変えるために、走査領域選択決定用画面第一背景色の表示をやめる時点までの時間の長さを設定する走査領域選択決定用画面第一背景色表示時間設定手段の一環をなしている。
【０１２６】
ステップＳ８において、ＣＰＵ５０１が、演算装置により、colord66zb<２６であるとの判断を行った場合、ＣＰＵ５０１は、ステップＳ９の処理を行う。
【０１２７】
ステップＳ９では、ＣＰＵ５０１が、走査領域選択決定用画面第一背景色を設定する。
本発明、実施の形態では、例えば、Ｒ，Ｇ，Ｂの輝度がそれぞれ０，０，０である色に設定している（走査領域選択決定用画面背景色交互表示制御手段が、被験者視野に、視覚不可能領域及び視覚機能低下領域４を認識させ得るような色であれば、他の色であってもよい）。
【０１２８】
ステップＳ１０では、ＣＰＵ５０１が、Ｓ９で設定された走査領域選択決定用画面第一背景色により、走査領域選択決定用画面１を塗りつぶす。
すなわち、走査領域９の選択及び決定が行われる際に、ＣＰＵ５０１は、走査領域選択決定用画面１において、走査領域選択決定用画面における固視標２に対して背景となる画面全面に、一様に、Ｓ９で設定された走査領域選択決定用画面第一背景色を表す。
その後、ＣＰＵ５０１は、ステップＳ１３の処理へ移行する。
【０１２９】
ステップＳ８において、ＣＰＵ５０１が、演算装置により、colord66zb<２６ではないとの判断を行った場合、ＣＰＵ５０１は、ステップＳ１１の処理に移行する。
【０１３０】
ステップＳ１１では、ＣＰＵ５０１が、走査領域選択決定用画面第二背景色を設定する。
本発明、実施の形態では、例えば、Ｒ，Ｇ，Ｂの輝度がそれぞれ２２０，１６６，０である色に設定している（走査領域選択決定用画面背景色交互表示制御手段が、被験者視野に、視覚不可能領域及び視覚機能低下領域４を認識させ得るような値であれば、他の色であってもよい）。
本発明、実施形態の他の一例においては、走査領域選択決定用画面第二背景色設定手段は、走査領域選択決定用画面背景色交互表示制御手段により、走査領域選択決定用画面１の背景色の交互表示が行われる度に、走査領域選択決定用画面第二背景色を、演算装置による乱数発生を利用して、ランダムな色で再設定するが、そのような場合のステップＳ１１では、ＣＰＵ５０１が、走査領域選択決定用画面第二背景色を、例えば、Ｒ，Ｇ，Ｂの輝度がそれぞれz6602,d6606,z6600である色で設定している。その際の、z6602,d6606,z6600は、例えば、ステップＳ１４において、ＣＰＵ５０１が、（乱数のパターンを一定でないものにした上で、）例えば０〜２５０の間の値を範囲（他の範囲であってもよい）として乱数を発生させ、変数z6602にその値を代入し、例えば０〜２５０の間の値を範囲（他の範囲であってもよい）として乱数を発生させ、変数d6606にその値を代入し、例えば０〜２５０の間の値を範囲（他の範囲であってもよい）として乱数を発生させ、変数z6600にその値を代入することにより更新されるように設定するとしてもよい。
そのような際には、走査領域選択決定用画面第一背景色設定手段は、走査領域選択決定用画面第一背景色を、常に黒色系統の暗色により設定するとしてもよい。（他の色により設定するとしてもよい。）
（このように、走査領域選択決定用画面第二背景色を、演算装置による乱数発生を利用して、ランダムな色で再設定するような際には、固視標の表示が、その（固視標の）内側の色とは異なる色により縁取られるように構成されるように設定するとしてもよい。）
【０１３１】
ステップＳ１２では、ＣＰＵ５０１が、Ｓ１１で設定された走査領域選択決定用画面第二背景色により、走査領域選択決定用画面１を塗りつぶす。
すなわち、走査領域９の選択及び決定が行われる際に、ＣＰＵ５０１は、走査領域選択決定用画面１において、走査領域選択決定用画面における固視標２に対して背景となる画面全面に、一様に、Ｓ１１で設定された走査領域選択決定用画面第二背景色を表す。
その後、ＣＰＵ５０１は、ステップＳ１３の処理へ移行する。
【０１３２】
ステップＳ１３では、ＣＰＵ５０１が、演算装置により、colord66zb>=５０？の判断を行う。
その５０の値とは、本発明、実施の形態における一例であり、走査領域選択決定用画面背景色交互表示制御手段が、被験者視野に、視覚不可能領域及び視覚機能低下領域４を認識させ得るような値であれば、他の値であってもよい。
ステップＳ１３に設定される５０とは、走査領域選択決定用画面第二背景色表示時間設定手段、及び、走査領域選択決定用画面第一背景色表示時間設定手段の一環である。
より詳しく説明すると、その５０は、
走査領域選択決定用画面背景色交互表示制御手段が、走査領域選択決定用画面１において、走査領域選択決定用画面第二背景色を表示開始した後、背景色を走査領域選択決定用画面第一背景色に変えるために、走査領域選択決定用画面第二背景色の表示をやめる時点を、変数colord66zbの観点から設定するための値であり、
走査領域選択決定用画面背景色交互表示制御手段が、走査領域選択決定用画面１において、走査領域選択決定用画面第二背景色を表示開始する時点から、背景色を走査領域選択決定用画面第一背景色に変えるために、走査領域選択決定用画面第二背景色の表示をやめる時点までの時間の長さを設定する走査領域選択決定用画面第二背景色表示時間設定手段の一環をなしている。
すなわち、ステップ７、及び、ステップＳ８、及び、ステップＳ１３（他、プログラム処理上の待ち時間等）は、走査領域選択決定用画面第二背景色表示時間設定手段の一例である。
【０１３３】
ステップＳ１３において、ＣＰＵ５０１が、演算装置により、colord66zb>=５０であるとの判断を行った場合、ステップＳ１４の処理へ移行する。
【０１３４】
ステップＳ１４では、ＣＰＵ５０１が、変数colord66zbの値を０に更新する。
ステップＳ１４に設定される０とは、走査領域選択決定用画面第一背景色表示時間設定手段の一環である。
より詳しく説明すると、その０は、
走査領域選択決定用画面背景色交互表示制御手段が、走査領域選択決定用画面１において、走査領域選択決定用画面第一背景色を表示開始する時点を、変数colord66zbの観点から設定するための値であり、
走査領域選択決定用画面背景色交互表示制御手段が、走査領域選択決定用画面１において、走査領域選択決定用画面第一背景色を表示開始する時点から、背景色を前記走査領域選択決定用画面第二背景色に変えるために、走査領域選択決定用画面第一背景色の表示をやめる時点までの時間の長さを設定する走査領域選択決定用画面第一背景色表示時間設定手段の一環をなしている。
すなわち、
すなわち、ステップＳ７、及び、ステップＳ１４、及び、ステップＳ８（他、プログラム処理上の待ち時間等）は、走査領域選択決定用画面第一背景色表示時間設定手段の一例である。
ステップＳ１４の処理の後、ＣＰＵ５０１は、ステップＳ１５の処理へ移行する。
【０１３５】
ステップＳ１３において、ＣＰＵ５０１が、演算装置により、colord66zb>=５０ではないとの判断を行った場合、ＣＰＵ５０１は、ステップＳ１５の処理へ移行する。
【０１３６】
ステップＳ１５では、ＣＰＵ５０１が、←カーソルキー入力が検出された？の判断を行う。
【０１３７】
ステップＳ１５において、ＣＰＵ５０１が、←カーソルキー入力が検出されたとの判断を行った場合、ＣＰＵ５０１は、ステップＳ１６の処理へ移行する。
【０１３８】
ステップＳ１６では、ＣＰＵ５０１が、演算装置によりdx−１０の演算を行い、その結果を変数dxに代入し、記憶装置（例えば、ＲＡＭ５０２やＨＤＤ５０４等）に記憶する。
その後、ＣＰＵ５０１は、ステップＳ１７の処理へ移行する。
【０１３９】
ステップＳ１５において、ＣＰＵ５０１が、←カーソルキー入力が検出されなかったとの判断を行った場合、ＣＰＵ５０１は、ステップＳ１７の処理に移行する。
【０１４０】
ステップＳ１７では、ＣＰＵ５０１が、→カーソルキー入力が検出された？の判断を行う。
【０１４１】
ステップＳ１７において、ＣＰＵ５０１が、→カーソルキー入力が検出されたとの判断を行った場合、ＣＰＵ５０１は、ステップＳ１８の処理へ移行する。
【０１４２】
ステップＳ１８では、ＣＰＵ５０１が、演算装置によりdx＋１０の演算を行い、その結果を変数dxに代入し、記憶装置（例えば、ＲＡＭ５０２やＨＤＤ５０４等）に記憶する。
その後、ＣＰＵ５０１は、ステップＳ１９の処理へ移行する。
【０１４３】
ステップＳ１７において、ＣＰＵ５０１が、→カーソルキー入力が検出されなかったとの判断を行った場合、ＣＰＵ５０１は、ステップＳ１９の処理に移行する。
【０１４４】
ステップＳ１９では、ＣＰＵ５０１が、↑カーソルキー入力が検出された？の判断を行う。
【０１４５】
ステップＳ１９において、ＣＰＵ５０１が、↑カーソルキー入力が検出されたとの判断を行った場合、ＣＰＵ５０１は、ステップＳ２０へ移行する。
【０１４６】
ステップＳ２０では、ＣＰＵ５０１が、演算装置によりdy−１０の演算を行い、その結果を変数dyに代入し、記憶装置（例えば、ＲＡＭ５０２やＨＤＤ５０４等）に記憶する。
その後、ＣＰＵ５０１は、ステップＳ２１の処理へ移行する。
【０１４７】
ステップＳ１９において、ＣＰＵ５０１が、↑カーソルキー入力が検出されなかったとの判断を行った場合、ＣＰＵ５０１は、ステップＳ２１の処理に移行する。
【０１４８】
ステップＳ２１では、ＣＰＵ５０１が、↓カーソルキー入力が検出された？の判断を行う。
【０１４９】
ステップＳ２１において、ＣＰＵ５０１が、↓カーソルキー入力が検出されたとの判断を行った場合、ＣＰＵ５０１は、ステップＳ２２へ移行する。
【０１５０】
ステップＳ２２では、ＣＰＵ５０１が、演算装置によりdy＋１０の演算を行い、その結果を変数dyに代入し、記憶装置（例えば、ＲＡＭ５０２やＨＤＤ５０４等）に記憶する。
その後、ＣＰＵ５０１は、ステップＳ２３の処理へ移行する。
【０１５１】
ステップＳ２１において、ＣＰＵ５０１が、↓カーソルキー入力が検出されなかったとの判断を行った場合、ＣＰＵ５０１は、ステップＳ２３の処理に移行する。
【０１５２】
ステップＳ１５において、ＣＰＵ５０１により入力が検出される←カーソルキー、ステップＳ１７において、ＣＰＵ５０１により入力が検出される→カーソルキー、ステップＳ１９において、ＣＰＵ５０１により入力が検出される↑カーソルキー、ステップＳ２１において、ＣＰＵ５０１により入力が検出される↓カーソルキー、とは、
走査領域選択決定用画面背景色交互表示制御手段が、走査領域選択決定用画面１の背景色を、走査領域選択決定用画面第一背景色と、走査領域選択決定用画面第二背景色、の
２色で交互させ続けて表示しながら、走査領域選択決定用画面１において、矩形としての走査領域の選択がなされるが、該選択の際になされる走査領域選択指示を、走査領域選択指示受付手段が受け付ける際に利用される入力装置の例であり、他の入力装置を経て走査領域選択指示が受け付けられてもよい。
【０１５３】
ステップＳ２３では、ＣＰＵ５０１が、走査領域選択決定用画面１において、走査領域選択決定用画面における固視標２を表示する位置を設定する。
【０１５４】
ステップＳ２４では、ＣＰＵ５０１が、ステップＳ２３において設定された位置に、走査領域選択決定用画面における固視標２を表示する。
【０１５５】
ステップＳ２５では、ＣＰＵ５０１が、走査領域の左上端位置選択決定を支援するための印（本発明、実施の形態では例えば、「印を利用しているが、他の印により走査領域の左上端位置選択決定を支援するとしてもよい。）を、走査領域選択決定用画面１に表示する際の初期表示位置を、Ｓ２３において設定された走査領域選択決定用画面における固視標２の表示位置の（例えば）近傍に設定する。
【０１５６】
ステップＳ２６では、ＣＰＵ５０１が、走査領域の左上端位置選択決定を支援するための印の表示位置を、そのｘ座標が、Ｓ２５において設定された初期表示位置のｘ座標に
dxを和算した値になるように、ｙ座標が、Ｓ２５において設定された初期表示位置のｙ座標にdyを和算した値になるように、設定する。
【０１５７】
ステップＳ２７では、ＣＰＵ５０１が、Ｓ２６において設定された位置に、走査領域の
左上端位置選択決定を支援するための印を表示する。
【０１５８】
ステップＳ２８では、ＣＰＵ５０１が、enter key入力が検出された？の判断を行う。
ステップＳ２８において、ＣＰＵ５０１が、enter key入力が検出されなかったとの判断を行った場合、ＣＰＵ５０１は、Ｓ４に戻って処理を続ける。
【０１５９】
ステップＳ２８において、ＣＰＵ５０１が、enter key入力が検出されたとの判断を行った場合、ＣＰＵ５０１は、ステップＳ２９の処理に移行する。
【０１６０】
ステップＳ２９では、ＣＰＵ５０１が例えば、プログラムの処理を６００ミリ秒だけ中断する。
【０１６１】
ステップＳ３０では、ＣＰＵ５０１が、走査領域左上端位置選択決定を支援するための印の、Ｓ２７による表示位置を、走査領域左上端決定位置として、走査領域矩形座標記憶手段が記憶装置（例えば、ＲＡＭ５０２やＨＤＤ５０４等）に記憶する。
【０１６２】
ステップＳ３１では、ＣＰＵ５０１が、変数dxの値を、０に初期化する。
ステップＳ３１では、ＣＰＵ５０１が、変数dyの値を、０に初期化する。
【０１６３】
ステップＳ３２では、ＣＰＵ５０１が、プログラム処理上、２ミリ秒待つ。
【０１６４】
ステップＳ３３では、ＣＰＵ５０１が、走査領域決定指示受付手段を開始する一例として、enter key入力を検出開始する。
【０１６５】
ステップＳ３４では、ＣＰＵ５０１が、走査領域選択指示受付手段を開始する一例として、←カーソルキー入力を検出開始、→カーソルキー入力を検出開始、↑カーソルキー入力を検出開始、↓カーソルキー入力を検出開始する。
【０１６６】
ステップＳ３５では、ＣＰＵ５０１が、走査領域選択決定用画面背景色交互表示制御手段の一例として、変数colord66zbを演算装置により１インクリメントする。
【０１６７】
ステップＳ３６ではＣＰＵ５０１が、演算装置により、colord66zb<２６？の判断を行う。
ステップＳ３６において、ＣＰＵ５０１が、演算装置により、colord66zb<２６であるとの判断を行った場合、ＣＰＵ５０１は、ステップＳ３７に、移行する。
【０１６８】
ステップＳ３７では、ＣＰＵ５０１が、走査領域選択決定用画面第一背景色を設定する。
本発明、実施の形態では、例えば、Ｒ，Ｇ，Ｂの輝度がそれぞれ０，０，０である色に設定している。
【０１６９】
ステップＳ３８では、ＣＰＵ５０１が、Ｓ３７で設定された第一背景色により、走査領域選択決定用画面１を塗りつぶす。その後、ＣＰＵ５０１は、ステップＳ４１へ移行する。
【０１７０】
ステップＳ３６において、ＣＰＵ５０１が、演算装置により、colord66zb<２６でないとの判断を行った場合、ＣＰＵ５０１は、ステップＳ３９の処理へ移行する。
【０１７１】
ステップＳ３９では、ＣＰＵ５０１が、走査領域選択決定用画面第二背景色を設定する。
本発明、実施の形態では、例えば、Ｒ，Ｇ，Ｂの輝度がそれぞれ２２０，１６６，０である色に設定している。
【０１７２】
ステップＳ４０では、ＣＰＵ５０１が、Ｓ３９で設定された第二背景色により、走査領域選択決定用画面１を塗りつぶす。
【０１７３】
ステップＳ４１では、ＣＰＵ５０１が、演算装置により、colord66zb>=５０？の判断を行う。
【０１７４】
ステップＳ４１において、ＣＰＵ５０１が、演算装置により、colord66zb>=５０ではないとの判断を行った場合、ＣＰＵ５０１はステップＳ４３の処理へ移行する。
【０１７５】
ステップＳ４１において、ＣＰＵ５０１が、演算装置により、colord66zb>=５０であるとの判断を行った場合、ＣＰＵ５０１は、ステップＳ４２の処理に移行する。
【０１７６】
ステップ４２では、ＣＰＵ５０１が、変数colord66zbの値を０に初期化する。
【０１７７】
ステップＳ４３では、ＣＰＵ５０１が、ＣＰＵ５０１が、←カーソルキー入力が検出された？の判断を行う。
ステップＳ４３において、ＣＰＵ５０１が、←カーソルキー入力が検出された、との判断を行った場合、ＣＰＵ５０１は、ステップＳ４４へ移行し、演算装置によりdx−１０の演算を行い、結果を変数dxに代入し、記憶装置（例えば、ＲＡＭ５０２やＨＤＤ５０４等）に記憶する。その後、ＣＰＵ５０１は、ステップＳ４５へ移行する。
【０１７８】
ステップＳ４３において、ＣＰＵ５０１が、←カーソルキー入力が検出された、との判断を行わなかった場合、ＣＰＵ５０１は、ステップＳ４５に移行する。
【０１７９】
ステップＳ４５では、ＣＰＵ５０１が、→カーソルキー入力が検出された？の判断を行う。
ステップＳ４５において、ＣＰＵ５０１が、→カーソルキー入力が検出された、との判断を行った場合、ＣＰＵ５０１は、ステップＳ４６へ移行し、演算装置によりdx＋１０の演算を行い、結果を変数dxに代入し、記憶装置（例えば、ＲＡＭ５０２やＨＤＤ５０４等）に記憶する。その後、ＣＰＵ５０１は、ステップＳ４７へ移行する。
【０１８０】
ステップＳ４５において、ＣＰＵ５０１が、→カーソルキー入力が検出された、との判断を行わなかった場合、ＣＰＵ５０１は、ステップＳ４７に移行する。
【０１８１】
ステップＳ４７では、ＣＰＵ５０１が、↑カーソルキー入力が検出された？の判断を行う。
ステップＳ４７において、ＣＰＵ５０１が、↑カーソルキー入力が検出された、との判断を行った場合、ＣＰＵ５０１は、ステップＳ４８へ移行し、演算装置によりdy−１０の演算を行い、結果を変数dyに代入し、記憶装置（例えば、ＲＡＭ５０２やＨＤＤ５０４等）に記憶する。その後、ＣＰＵ５０１は、ステップＳ４９へ移行する。
【０１８２】
ステップＳ４７において、ＣＰＵ５０１が、↑カーソルキー入力が検出された、との判断を行わなかった場合、ＣＰＵ５０１は、ステップＳ４９へ移行する。
【０１８３】
ステップＳ４９では、ＣＰＵ５０１が、↓カーソルキー入力が検出された？の判断を行う。
ステップＳ４９において、ＣＰＵ５０１が、↓カーソルキー入力が検出された、との判断を行った場合、ＣＰＵ５０１は、ステップＳ５０へ移行し、演算装置によりdy＋１０の演算を行い、結果を変数dyに代入し、記憶装置（例えば、ＲＡＭ５０２やＨＤＤ５０４等）に記憶する。その後、ＣＰＵ５０１は、ステップＳ５１へ移行する。
【０１８４】
ステップＳ４９において、ＣＰＵ５０１が、↓カーソルキー入力が検出された、との判断を行わなかった場合、ＣＰＵ５０１は、ステップＳ５１に移行する。
【０１８５】
ステップＳ５１では、ＣＰＵ５０１が、Ｓ２３により設定された位置に、走査領域選択決定用画面における固視標２を表示する。
【０１８６】
ステップＳ５２では、ＣＰＵ５０１が、Ｓ３０において記憶装置（例えば、ＲＡＭ５０２やＨＤＤ５０４等）に記憶された走査領域左上端決定位置に、走査領域の左上端位置選択決定を支援するための印を表示する。
【０１８７】
ステップＳ５３では、ＣＰＵ５０１が、走査領域の右下端位置選択決定を支援するための印（本発明、実施の形態では例えば、」印を利用しているが、他の印により走査領域の右下端位置選択決定を支援するとしてもよい。）を、走査領域選択決定用画面１に表示する際の初期表示位置を、Ｓ３０において記憶装置に記憶された走査領域左上端決定位置の近傍に設定する。
【０１８８】
ステップＳ５４では、ＣＰＵ５０１が、走査領域の右下端位置選択決定を支援するための印の表示位置を、そのｘ座標が、Ｓ５３において設定された初期表示位置のｘ座標にdxを和算した値になるように、ｙ座標が、Ｓ５３において設定された初期表示位置のｙ座標にdyを和算した値になるように、設定する。
【０１８９】
ステップＳ５５では、ＣＰＵ５０１が、Ｓ５４において設定された位置に、走査領域の右下端位置選択決定を支援するための印を表示する。
【０１９０】
ステップＳ５６では、ＣＰＵ５０１が、enter key入力が検出された？の判断を行う。
【０１９１】
ステップＳ５６において、ＣＰＵ５０１が、enter key入力が検出されなかったとの判断を行った場合、ＣＰＵ５０１は、ステップＳ３２に戻って処理を続ける。
【０１９２】
ステップＳ５６において、ＣＰＵ５０１が、enter key入力が検出されたとの判断を行った場合、ＣＰＵ５０１は、ステップＳ５７に移行する。
【０１９３】
ステップＳ５７では、ＣＰＵ５０１が、例えば、プログラムの処理を６００ミリ秒だけ中断する。
【０１９４】
ステップＳ５８では、ＣＰＵ５０１が、走査領域右下端位置選択決定を支援するための印の、Ｓ５５による表示位置を、走査領域右下端決定位置として、走査領域矩形座標記憶手段が記憶装置（例えば、ＲＡＭ５０２やＨＤＤ５０４等）に記憶する。
【０１９５】
ここで、本発明、視野走査領域選択支援装置を実現させるプログラムに従い、ＣＰＵ５０１が走査領域選択決定用画面１において行う視野走査領域選択決定支援処理について、図２３〜図２７を参照して詳細に説明する。
図２３〜図２７は、図３２に示したコンピュータにより実行される視野走査領域選択支援装置における視野走査領域選択決定支援処理の実施形態の一例を表す流れ図である。
【０１９６】
本発明、視野走査領域選択支援装置における視野走査領域選択決定支援処理のステップＳ５０１では、変数colord66zbの値を０に初期化している。
【０１９７】
ステップＳ５０２では、ＣＰＵ５０１が、走査領域選択決定用画面１を出力装置（例えば、ディスプレイ３０４）に生成する。
以下、走査領域選択決定用画面１に対する説明では、走査領域選択決定用画面１の左上端の位置をｘ座標、０ドット、ｙ座標、０ドットの位置であるとし、ｘ座標軸は、走査領域選択決定用画面１の左上端から右方向に、また、ｙ座標軸は、走査領域選択決定用画面１の左上端から下方向に生成されるものとして、位置の説明を行う。
【０１９８】
ステップＳ５０３では、ＣＰＵ５０１が、走査領域選択決定用画面１に表示される走査領域選択決定用画面における固視標２の初期表示位置を設定する。
（本発明、実施の形態においては、例えば、そのｘ座標は変数coordinate66d2xに記憶させて設定し、ｙ座標は変数coordinate66d2yに記憶させて設定している。）
【０１９９】
ステップＳ５０４では、繰り返しを有するプログラム処理上、ＣＰＵ５０１が、例えば２ミリ秒待つ。
【０２００】
ステップＳ５０５では、ＣＰＵ５０１が、走査領域選択指示受付手段を開始する一例として、マウスの左ボタン入力を検出開始する。
【０２０１】
ステップＳ５０６では、ＣＰＵ５０１が、走査領域選択決定用画面背景色交互表示制御手段の一例として、例えば、変数colord66zbの値を、演算装置により１インクリメントする。
【０２０２】
ステップＳ５０７では、ＣＰＵ５０１が、演算装置により、例えば、colord66zb<２６？の判断を行う。
【０２０３】
ステップＳ５０７において、ＣＰＵ５０１が、演算装置により、colord66zb<２６であるとの判断を行った場合、ＣＰＵ５０１は、ステップＳ５０８の処理を行う。
【０２０４】
ステップＳ５０８では、ＣＰＵ５０１が、走査領域選択決定用画面第一背景色を設定する。
本発明、実施の形態では、例えば、Ｒ，Ｇ，Ｂの輝度がそれぞれ０，０，０である色に設定している。
【０２０５】
ステップＳ５０９では、ＣＰＵ５０１が、Ｓ５０８で設定された走査領域選択決定用画面第一背景色により、走査領域選択決定用画面１を塗りつぶす。
その後、ＣＰＵ５０１は、ステップＳ５１２の処理へ移行する。
【０２０６】
ステップＳ５０７において、ＣＰＵ５０１が、演算装置により、colord66zb<２６ではないとの判断を行った場合、ＣＰＵ５０１は、ステップＳ５１０の処理に移行する。
【０２０７】
ステップＳ５１０では、ＣＰＵ５０１が、走査領域選択決定用画面第二背景色を設定する。
本発明、実施の形態では、例えば、Ｒ，Ｇ，Ｂの輝度がそれぞれ２２０，１６６，０である色に設定している。
【０２０８】
ステップＳ５１１では、ＣＰＵ５０１が、Ｓ５１０で設定された走査領域選択決定用画面第二背景色により、走査領域選択決定用画面１を塗りつぶす。
その後、ＣＰＵ５０１は、ステップＳ５１２の処理へ移行する。
【０２０９】
ステップＳ５１２では、ＣＰＵ５０１が、演算装置により、colord66zb>=５０？の判断を行う。
【０２１０】
ステップＳ５１２において、ＣＰＵ５０１が、演算装置により、colord66zb>=５０であるとの判断を行った場合、ステップＳ５１３の処理へ移行する。
【０２１１】
ステップＳ５１３では、ＣＰＵ５０１が、変数colord66zbの値を０に更新する。
【０２１２】
ステップＳ５１３の処理の後、ＣＰＵ５０１は、ステップＳ５１４の処理へ移行する。
【０２１３】
ステップＳ５１２において、ＣＰＵ５０１が、演算装置により、colord66zb>=５０ではないとの判断を行った場合、ＣＰＵ５０１は、ステップＳ５１４の処理へ移行する。
【０２１４】
ステップＳ５１４では、ＣＰＵ５０１が、Ｓ５０３において設定された位置に、走査領域選択決定用画面における固視標２を表示する。
本発明、実施の形態では、例えば、その走査領域選択決定用画面における固視標２は、Ｒ，Ｇ，Ｂの輝度がそれぞれ０,２５０,２００である色に設定され、フォントサイズは１５に設定され、形は■に設定されている。
【０２１５】
ステップＳ５１５では、ＣＰＵ５０１が、マウスカーソルのｘ座標、ｙ座標を検出し、その位置に、走査領域の左上端位置選択決定を支援するための印を表示する。
本発明、実施の形態では、例えば、該印は、Ｒ，Ｇ，Ｂの輝度がそれぞれ２５０,０,６０である色に設定され、フォントサイズは２６に設定され、形は●に設定されている。
【０２１６】
ステップＳ５１６では、ＣＰＵ５０１が、マウスの左ボタン入力が検出されていない？の判断を行う。
ステップＳ５１６において、ＣＰＵ５０１が、マウスの左ボタン入力が検出されていない、との判断を行った場合、ＣＰＵ５０１は、Ｓ５０４に戻って処理を続ける。
【０２１７】
ステップＳ５１６において、ＣＰＵ５０１が、マウスの左ボタン入力が検出されていない、との判断を行わなかった場合、ＣＰＵ５０１は、ステップＳ５１７の処理に移行する。
【０２１８】
ステップＳ５１７では、ＣＰＵ５０１が、
Ｓ５１５において検出されたマウスカーソルのｘ座標を、走査領域左上端決定位置ｘ座標として、変数stxに代入し、記憶装置（例えば、ＲＡＭ５０２やＨＤＤ５０４等）に記憶させ、Ｓ５１５において検出されたマウスカーソルのｙ座標を、走査領域左上端決定位置ｙ座標として、変数styに代入し、記憶装置（例えば、ＲＡＭ５０２やＨＤＤ５０４等）に記憶させる。
（走査領域矩形座標記憶手段の一環である。）
【０２１９】
ステップＳ５１８では、ＣＰＵ５０１が、プログラム処理上、２ミリ秒待つ。
【０２２０】
ステップＳ５１９では、ＣＰＵ５０１が、走査領域選択指示受付手段を開始する一例として、マウスの左ボタン入力を検出開始する。
【０２２１】
ステップＳ５２０では、ＣＰＵ５０１が、走査領域選択決定用画面背景色交互表示制御手段の一例として、例えば、変数colord66zbの値を、演算装置により１インクリメントする。
【０２２２】
ステップＳ５２１では、ＣＰＵ５０１が、演算装置により、例えば、colord66zb<２６？の判断を行う。
【０２２３】
ステップＳ５２１において、ＣＰＵ５０１が、演算装置により、colord66zb<２６であるとの判断を行った場合、ＣＰＵ５０１は、ステップＳ５２２の処理を行う。
【０２２４】
ステップＳ５２２では、ＣＰＵ５０１が、走査領域選択決定用画面第一背景色を設定する。
本発明、実施の形態では、例えば、Ｒ，Ｇ，Ｂの輝度がそれぞれ０，０，０である色に設定している。
【０２２５】
ステップＳ５２３では、ＣＰＵ５０１が、Ｓ５２２で設定された走査領域選択決定用画面第一背景色により、走査領域選択決定用画面１を塗りつぶす。
その後、ＣＰＵ５０１は、ステップＳ５２６の処理へ移行する。
【０２２６】
ステップＳ５２１において、ＣＰＵ５０１が、演算装置により、colord66zb<２６ではないとの判断を行った場合、ＣＰＵ５０１は、ステップＳ５２４の処理に移行する。
【０２２７】
ステップＳ５２４では、ＣＰＵ５０１が、走査領域選択決定用画面第二背景色を設定する。
本発明、実施の形態では、例えば、Ｒ，Ｇ，Ｂの輝度がそれぞれ２２０，１６６，０である色に設定している。
【０２２８】
ステップＳ５２５では、ＣＰＵ５０１が、Ｓ５２４で設定された走査領域選択決定用画面第二背景色により、走査領域選択決定用画面１を塗りつぶす。
その後、ＣＰＵ５０１は、ステップＳ５２６の処理へ移行する。
【０２２９】
ステップＳ５２６では、ＣＰＵ５０１が、演算装置により、colord66zb>=５０？の判断を行う。
【０２３０】
ステップＳ５２６において、ＣＰＵ５０１が、演算装置により、colord66zb>=５０であるとの判断を行った場合、ステップＳ５２７の処理へ移行する。
【０２３１】
ステップＳ５２７では、ＣＰＵ５０１が、変数colord66zbの値を０に更新する。
【０２３２】
ステップＳ５２７の処理の後、ＣＰＵ５０１は、ステップＳ５２８の処理へ移行する。
【０２３３】
ステップＳ５２６において、ＣＰＵ５０１が、演算装置により、colord66zb>=５０ではないとの判断を行った場合、ＣＰＵ５０１は、ステップＳ５２８の処理へ移行する。
【０２３４】
ステップＳ５２８では、ＣＰＵ５０１が、Ｓ５０３において設定された位置に、走査領域選択決定用画面における固視標２を表示する。
本発明、実施の形態では、例えば、その走査領域選択決定用画面における固視標２は、Ｒ，Ｇ，Ｂの輝度がそれぞれ０,２５０,２００である色に設定され、フォントサイズは１５に設定され、形は■に設定されている。
【０２３５】
ステップＳ５２９では、ＣＰＵ５０１が、マウスカーソルのｘ座標、ｙ座標を検出し、記憶装置（例えば、ＲＡＭ５０２やＨＤＤ５０４等）に記憶する。
【０２３６】
ステップＳ５３０では、ＣＰＵ５０１が、
走査領域選択指示受付手段により受け付けられた走査領域選択指示によって選択がなされている走査領域の（例えば）輪郭を、ガイド表示することにより、走査領域の右下端位置選択決定を支援する。
本発明、実施の形態では、例えば、
そのガイド表示は、左上端の（ｘ座標,ｙ座標）が（stx,sty）であり、右下端の（ｘ座標,ｙ座標）が（Ｓ５２９において検出され記憶されたマウスカーソルのｘ座標,sty+2）で設定される矩形と、左上端の（ｘ座標,ｙ座標）が（stx,sty）であり、右下端の（ｘ座標,ｙ座標）が（stx+2,Ｓ５２９において検出され記憶されたマウスカーソルのｙ座標）で設定される矩形と、左上端の（ｘ座標,ｙ座標）が（Ｓ５２９において検出され記憶されたマウスカーソルのｘ座標-2,sty）であり、右下端の（ｘ座標,ｙ座標）が（Ｓ５２９において検出され記憶されたマウスカーソルのｘ座標, Ｓ５２９において検出され記憶されたマウスカーソルのｙ座標）で設定される矩形と、左上端の（ｘ座標,ｙ座標）が（stx,Ｓ５２９において検出され記憶されたマウスカーソルのｙ座標-2）であり、右下端の（ｘ座標,ｙ座標）が（Ｓ５２９において検出され記憶されたマウスカーソルのｘ座標, Ｓ５２９において検出され記憶されたマウスカーソルのｙ座標）で設定される矩形と、から構成される。
それらの矩形は、例えば、いずれもＲ，Ｇ，Ｂの輝度がそれぞれ、２５０，０，１００である色で塗りつぶされるように設定されている。
【０２３７】
ステップＳ５３１では、ＣＰＵ５０１が、マウスの左ボタン入力が検出された？の判断を行う。
ステップＳ５３１において、ＣＰＵ５０１が、マウスの左ボタン入力が検出された、との判断を行った場合、ＣＰＵ５０１は、Ｓ５１８に戻って処理を続ける。
【０２３８】
ステップＳ５３１において、ＣＰＵ５０１が、マウスの左ボタン入力が検出された、との判断を行わなかった場合、ＣＰＵ５０１は、ステップＳ５３２の処理に移行する。
【０２３９】
ステップＳ５３２では、ＣＰＵ５０１が、
Ｓ５２９において検出されたマウスカーソルのｘ座標を走査領域右下端決定位置ｘ座標として、変数edxに代入し、記憶装置（例えば、ＲＡＭ５０２やＨＤＤ５０４等）に記憶させ、
Ｓ５２９において検出されたマウスカーソルのｙ座標を走査領域右下端決定位置ｙ座標として、変数edyに代入し、記憶装置（例えば、ＲＡＭ５０２やＨＤＤ５０４等）に記憶させる。
（走査領域矩形座標記憶手段の一環である。）
【０２４０】
ステップＳ５３３では、例えば、ＣＰＵ５０１が、走査領域矩形座標記憶手段により記憶装置（例えば、ＲＡＭ５０２やＨＤＤ５０４等）に記憶された走査領域矩形座標を読み出すことで、左上端の（ｘ座標,ｙ座標）が（stx,sty）であり、右下端の（ｘ座標,ｙ座標）が（edx,edy）で設定される矩形を、視野走査領域選択支援装置により選択され決定された走査領域として、出力装置に出力する。
該走査領域確認のため、例えば、１５００ミリ秒だけプログラムの処理を中断する。
【０２４１】
ここで、本発明、視野走査領域選択支援装置を実現させるプログラムに従い、ＣＰＵ５０１が固視標表示位置選択決定用画面１３及び走査領域選択決定用画面１において行う固視標表示位置選択決定支援処理及び視野走査領域選択決定支援処理について、図２８〜図３０を参照して詳細に説明する。
図２８〜図３０は、図３２に示したコンピュータにより実行される視野走査領域選択支援装置における固視標表示位置選択決定支援処理及び視野走査領域選択決定支援処理を表す流れ図である。
【０２４２】
本発明、視野走査領域選択支援装置における固視標表示位置選択決定支援処理及び視野走査領域選択決定支援処理のステップＳ２０１では、変数colord66zbの値を０に初期化している。
【０２４３】
ステップＳ２０２では、ＣＰＵ５０１が、固視標表示位置選択決定用画面１３を出力装置（例えば、ディスプレイ３０４）に生成する。
以下、固視標表示位置選択決定用画面１３に対する説明では、固視標表示位置選択決定用画面１３の左上端の位置をｘ座標、０ドット、ｙ座標、０ドットの位置であるとし、ｘ座標軸は、固視標表示位置選択決定用画面１３の左上端から右方向に、また、ｙ座標軸は、固視標表示位置選択決定用画面１３の左上端から下方向に生成されるものとして、位置の説明を行う。
【０２４４】
ステップＳ２０３では、ＣＰＵ５０１が、固視標表示位置選択決定用画面１３に表示される固視標表示位置選択決定用画面における固視標１４の初期表示位置を設定する。
（本発明、実施の形態においては、例えば、そのｘ座標は変数coordinate66d2xに記憶させて設定し、ｙ座標は変数coordinate66d2yに記憶させて設定している。）
【０２４５】
ステップＳ２０４では、繰り返しを有するプログラム処理上、ＣＰＵ５０１が、例えば２ミリ秒待つ。
【０２４６】
ステップＳ２０５では、ＣＰＵ５０１が、固視標表示決定位置指示受付手段を開始する一例として、enter key入力を検出開始している。
【０２４７】
ステップＳ２０６では、ＣＰＵ５０１が、固視標移動指示受付手段を開始する一例として、←カーソルキー入力を検出開始、→カーソルキー入力を検出開始、↑カーソルキー入力を検出開始、↓カーソルキー入力を検出開始している。
【０２４８】
ステップＳ２０７では、ＣＰＵ５０１が、固視標表示位置選択決定用画面背景色交互表示制御手段の一例として、変数colord66zbを演算装置により１インクリメントする。
【０２４９】
ステップＳ２０８では、ＣＰＵ５０１が、演算装置により、colord66zb<２６？の判断を行う。
【０２５０】
ステップＳ２０８において、ＣＰＵ５０１が、演算装置により、colord66zb<２６であるとの判断を行った場合、ＣＰＵ５０１は、ステップＳ２０９の処理を行う。
【０２５１】
ステップＳ２０９では、ＣＰＵ５０１が、固視標表示位置選択決定用画面第一背景色を設定する。
本発明、実施の形態では、例えば、Ｒ，Ｇ，Ｂの輝度がそれぞれ０，０，０である色に設定している。
【０２５２】
ステップＳ２１０では、ＣＰＵ５０１が、Ｓ２０９で設定された第一背景色により、固視標表示位置選択決定用画面１３を塗りつぶす
その後、ＣＰＵ５０１は、ステップＳ２１３の処理へ移行する。
【０２５３】
ステップＳ２０８において、ＣＰＵ５０１が、演算装置により、colord66zb<２６ではないとの判断を行った場合、ＣＰＵ５０１は、ステップＳ２１１の処理に移行する。
【０２５４】
ステップＳ２１１では、ＣＰＵ５０１が、固視標表示位置選択決定用画面第二背景色を設定する。
本発明、実施の形態では、例えば、Ｒ，Ｇ，Ｂの輝度がそれぞれ２２０，１６６，０である色に設定している。
【０２５５】
ステップＳ２１２では、ＣＰＵ５０１が、Ｓ２１１で設定された第二背景色により、固視標表示位置選択決定用画面１３を塗りつぶす。
【０２５６】
ステップＳ２１３では、ＣＰＵ５０１が、演算装置により、colord66zb>=５０？の判断を行う。
【０２５７】
ステップＳ２１３において、ＣＰＵ５０１が、演算装置により、colord66zb>=５０であるとの判断を行った場合、ステップＳ２１４の処理へ移行する。
【０２５８】
ステップＳ２１４では、ＣＰＵ５０１が、変数colord66zbの値を０に更新する。
ステップＳ２１４の処理の後、ＣＰＵ５０１は、ステップＳ２１５の処理へ移行する。
【０２５９】
ステップＳ２１５では、ＣＰＵ５０１が、←カーソルキー入力が検出された？の判断を行う。
【０２６０】
ステップＳ２１５において、ＣＰＵ５０１が、←カーソルキー入力が検出されたとの判断を行った場合、ＣＰＵ５０１は、ステップＳ２１６の処理へ移行する。
【０２６１】
ステップＳ２１６では、ＣＰＵ５０１が、演算装置によりcoordinate66d2x−１０の演算を行い、その結果を変数coordinate66d2xに代入し、記憶装置（例えば、ＲＡＭ５０２やＨＤＤ５０４等）に記憶する。
その後、ＣＰＵ５０１は、ステップＳ２１７の処理へ移行する。
【０２６２】
ステップＳ２１５において、ＣＰＵ５０１が、←カーソルキー入力が検出されなかったとの判断を行った場合、ＣＰＵ５０１は、ステップＳ２１７の処理に移行する。
【０２６３】
ステップＳ２１７では、ＣＰＵ５０１が、→カーソルキー入力が検出された？の判断を行う。
【０２６４】
ステップＳ２１７において、ＣＰＵ５０１が、→カーソルキー入力が検出されたとの判断を行った場合、ＣＰＵ５０１は、ステップＳ２１８の処理へ移行する。
【０２６５】
ステップＳ２１８では、ＣＰＵ５０１が、演算装置によりcoordinate66d2x＋１０の演算を行い、その結果を変数coordinate66d2xに代入し、記憶装置（例えば、ＲＡＭ５０２やＨＤＤ５０４等）に記憶する。
その後、ＣＰＵ５０１は、ステップＳ２１９の処理へ移行する。
【０２６６】
ステップＳ２１７において、ＣＰＵ５０１が、→カーソルキー入力が検出されなかったとの判断を行った場合、ＣＰＵ５０１は、ステップＳ２１９の処理に移行する。
【０２６７】
ステップＳ２１９では、ＣＰＵ５０１が、↑カーソルキー入力が検出された？の判断を行う。
【０２６８】
ステップＳ２１９において、ＣＰＵ５０１が、↑カーソルキー入力が検出されたとの判断を行った場合、ＣＰＵ５０１は、ステップＳ２２０へ移行する。
【０２６９】
ステップＳ２２０では、ＣＰＵ５０１が、演算装置によりcoordinate66d2y−１０の演算を行い、その結果を変数coordinate66d2yに代入し、記憶装置（例えば、ＲＡＭ５０２やＨＤＤ５０４等）に記憶する。
その後、ＣＰＵ５０１は、ステップＳ２２１の処理へ移行する。
【０２７０】
ステップＳ２１９において、ＣＰＵ５０１が、↑カーソルキー入力が検出されなかったとの判断を行った場合、ＣＰＵ５０１は、ステップＳ２２１の処理に移行する。
【０２７１】
ステップＳ２２１では、ＣＰＵ５０１が、↓カーソルキー入力が検出された？の判断を行う。
【０２７２】
ステップＳ２２１において、ＣＰＵ５０１が、↓カーソルキー入力が検出されたとの判断を行った場合、ＣＰＵ５０１は、ステップＳ２２２へ移行する。
【０２７３】
ステップＳ２２２では、ＣＰＵ５０１が、演算装置によりcoordinate66d2y＋１０の演算を行い、その結果を変数coordinate66d2yに代入し、記憶装置（例えば、ＲＡＭ５０２やＨＤＤ５０４等）に記憶する。
その後、ＣＰＵ５０１は、ステップＳ２２３の処理へ移行する。
【０２７４】
ステップＳ２２３では、ＣＰＵ５０１が、固視標表示位置選択決定用画面１３に、
固視標表示位置選択決定用画面における固視標１４を表示する表示位置を設定する。
本発明、実施の形態では、例えば、その位置の、ｘ座標は変数coordinate66d2xが記憶する値に設定、ｙ座標は変数coordinate66d2yが記憶する値に設定している。
【０２７５】
ステップＳ２２４では、ＣＰＵ５０１が、Ｓ２２３により設定された位置に、固視標表示位置選択決定用画面における固視標１４を表示する。
【０２７６】
ステップＳ２２５では、ＣＰＵ５０１が、enter key入力が検出された？の判断を行う。
ステップＳ２２５において、ＣＰＵ５０１が、enter key入力が検出された、との判断を行わなかった場合、ＣＰＵ５０１は、Ｓ２０４に戻って処理を続ける。
【０２７７】
ステップＳ２２５において、ＣＰＵ５０１が、enter key入力が検出された、との判断を行った場合、ＣＰＵ５０１は、ステップＳ２２６の処理に移行する。
【０２７８】
ステップＳ２２６では、ＣＰＵ５０１が、固視標の、Ｓ２２４による表示位置を、固視標表示決定位置として、記憶装置（例えば、ＲＡＭ５０２やＨＤＤ５０４等）に記憶する
（固視標表示決定位置記憶手段の一環である。）
【０２７９】
ステップＳ２２７では、ＣＰＵ５０１が、以降、請求項１に記載の視野走査領域選択支援装置による処理を行うが、その際に、
走査領域選択決定用画面固視標表示制御手段は、Ｓ２２６において固視標表示決定位置記憶手段により記憶装置に記憶された固視標表示決定位置を読み出し、
走査領域選択決定用画面固視標表示制御手段は、
読み出された該固視標表示決定位置に相当する走査領域選択決定用画面の位置に、
走査領域の選択決定がなされる際に凝視される走査領域選択決定用画面固視標を表示する。
【図面の簡単な説明】
【０２８０】
【図１】本発明、視野走査領域選択支援装置の最良の実施形態の作動態様の一例により、被験者が視野に認識できる視覚不可能領域及び視覚機能低下領域を説明する図である。
【図２】本発明、視野走査領域選択支援装置の最良の実施形態の作動態様の一例における、走査領域選択指示受付中になされる走査領域選択操作の推移を説明する図である。
【図３】本発明、視野走査領域選択支援装置の最良の実施形態の作動態様の一例における、走査領域選択指示受付中になされる走査領域選択操作の推移を説明する図である。
【図４】本発明、視野走査領域選択支援装置の最良の実施形態の作動態様の一例における、走査領域選択指示受付中になされる走査領域選択操作の推移を説明する図である。
【図５】本発明、視野走査領域選択支援装置の最良の実施形態の作動態様の一例における、走査領域選択指示受付中になされる走査領域選択操作の推移を説明する図である。
【図６】本発明、視野走査領域選択支援装置の最良の実施形態の作動態様の一例により決定された走査領域を説明する図である。
【図７】本発明、視野走査領域選択支援装置の最良の実施形態の作動態様の一例における、走査領域選択指示受付中になされる走査領域選択操作の推移を説明する図である。
【図８】本発明、視野走査領域選択支援装置の最良の実施形態の作動態様の一例における、走査領域選択指示受付中になされる走査領域選択操作の推移を説明する図である。
【図９】本発明、視野走査領域選択支援装置の最良の実施形態の作動態様の一例における、走査領域選択指示受付中になされる走査領域選択操作の推移を説明する図である。
【図１０】本発明、視野走査領域選択支援装置の最良の実施形態の作動態様の一例により、合目的且つ迅速に、暗点と盲点の接続部分を、走査領域として選択決定することが支援された状態を説明する図である。
【図１１】本発明、視野走査領域選択支援装置の最良の実施形態の作動態様の一例により、合目的且つ迅速に、暗点を、走査領域として選択決定することが支援された状態を説明する図である。
【図１２】本発明、視野走査領域選択支援装置の最良の実施形態の作動態様の一例により、合目的且つ迅速に、暗点における固視標付近に位置する部分を、走査領域として選択決定することが支援された状態を説明する図である。
【図１３】本発明、視野走査領域選択支援装置の最良の実施形態の作動態様の一例により、合目的且つ迅速に、盲点との接続部分を含んだ暗点全体を、走査領域として選択決定することが支援された状態を説明する図である。
【図１４】本発明、視野走査領域選択支援装置の最良の実施形態の作動態様の一例により、暗点と盲点の接続部分が、固視標表示位置選択決定用画面の中心に位置するように、合目的且つ迅速に、固視標を移動させることが支援された状態を説明する図である。
【図１５】本発明、視野走査領域選択支援装置の最良の実施形態の作動態様の一例により、固視標表示位置選択決定用画面が狭い場合に、被験者が視野に認識できる視覚不可能領域及び視覚機能低下領域を説明する図である。
【図１６】本発明、視野走査領域選択支援装置の最良の実施形態の作動態様の一例により、固視標表示位置選択決定用画面が狭い場合に、暗点と盲点の接続部分が、固視標表示位置選択決定用画面の中心に位置するように、合目的且つ迅速に、固視標を移動させることが支援された状態を説明する図である。
【図１７】本発明、視野走査領域選択支援装置の最良の実施形態の作動態様の一例により、図１６において選択され決定された固視標表示位置に相当する走査領域選択決定用画面における位置に固視標を表示し、合目的且つ迅速に、暗点と盲点の接続部分を、走査領域として選択決定することが支援された状態を説明する図である。
【図１８】本発明、視野走査領域選択支援装置における視野走査領域選択決定支援処理の最良の実施形態の一例を表す流れ図である。
【図１９】本発明、視野走査領域選択支援装置における視野走査領域選択決定支援処理の最良の実施形態の一例を表す流れ図の続きである。
【図２０】本発明、視野走査領域選択支援装置における視野走査領域選択決定支援処理の最良の実施形態の一例を表す流れ図の続きである。
【図２１】本発明、視野走査領域選択支援装置における視野走査領域選択決定支援処理の最良の実施形態の一例を表す流れ図の続きである。
【図２２】本発明、視野走査領域選択支援装置における視野走査領域選択決定支援処理の最良の実施形態の一例を表す流れ図の続きである。
【図２３】本発明、視野走査領域選択支援装置における視野走査領域選択決定支援処理の最良の実施形態の一例を表す流れ図である。
【図２４】本発明、視野走査領域選択支援装置における視野走査領域選択決定支援処理の最良の実施形態の一例を表す流れ図の続きである。
【図２５】本発明、視野走査領域選択支援装置における視野走査領域選択決定支援処理の最良の実施形態の一例を表す流れ図の続きである。
【図２６】本発明、視野走査領域選択支援装置における視野走査領域選択決定支援処理の最良の実施形態の一例を表す流れ図の続きである。
【図２７】本発明、視野走査領域選択支援装置における視野走査領域選択決定支援処理の最良の実施形態の一例を表す流れ図の続きである。
【図２８】本発明、視野走査領域選択支援装置における固視標表示位置選択決定支援処理の最良の実施形態の一例を表す流れ図である。
【図２９】本発明、視野走査領域選択支援装置における固視標表示位置選択決定支援処理の最良の実施形態の一例を表す流れ図の続きである。
【図３０】本発明、視野走査領域選択支援装置における固視標表示位置選択決定支援処理の最良の実施形態の一例を表す流れ図の続きである。
【図３１】本発明、視野走査領域選択支援装置の最良の実施形態の構成の一例を表す概略構成図である。
【図３２】本発明、視野走査領域選択支援装置の最良の実施形態のＣＰＵのハードウェア構成の一例を表す図である。
【符号の説明】
【０２８１】
１  走査領域選択決定用画面
２  走査領域選択決定用画面における固視標
３  走査領域選択決定用画面背景色交互表示
４  視覚不可能領域及び視覚機能低下領域
５、６  走査領域左上端位置選択決定支援印
７、８  走査領域右下端位置選択決定支援印
９  決定された走査領域
１０  走査領域左上端位置選択決定支援印
１１、１２  走査領域右下端位置選択決定支援印
１３  固視標表示位置選択決定用画面
１４  固視標表示位置選択決定用画面における固視標
１５  固視標表示位置選択決定用画面背景色交互表示
１６  暗点
１７  盲点
２０２  暗点と盲点の接続部分
２０５  視野視覚機能がわずかに低下している領域
３０１  コンピュータシステム
３０２  本体
３０３  キーボード
３０４  ディスプレイ
３０５  プリンタ
３０６  マウス
３０７  スピーカ
５０１  ＣＰＵ
５０２  ＲＡＭ
５０３  ＲＯＭ
５０４  ＨＤＤ
５０５  バス
【図１】
2010063557.tif 000003
【図２】
2010063557.tif 000004
【図３】
2010063557.tif 000005
【図４】
2010063557.tif 000006
【図５】
2010063557.tif 000007
【図６】
2010063557.tif 000008
【図７】
2010063557.tif 000009
【図８】
2010063557.tif 000010
【図９】
2010063557.tif 000011
【図１０】
2010063557.tif 000012
【図１１】
2010063557.tif 000013
【図１２】
2010063557.tif 000014
【図１３】
2010063557.tif 000015
【図１４】
2010063557.tif 000016
【図１５】
2010063557.tif 000017
【図１６】
2010063557.tif 000018
【図１７】
2010063557.tif 000019
【図１８】
2010063557.tif 000020
【図１９】
2010063557.tif 000021
【図２０】
2010063557.tif 000022
【図２１】
2010063557.tif 000023
【図２２】
2010063557.tif 000024
【図２３】
2010063557.tif 000025
【図２４】
2010063557.tif 000026
【図２５】
2010063557.tif 000027
【図２６】
2010063557.tif 000028
【図２７】
2010063557.tif 000029
【図２８】
2010063557.tif 000030
【図２９】
2010063557.tif 000031
【図３０】
2010063557.tif 000032
【図３１】
2010063557.tif 000033
【図３２】
2010063557.tif 000034